(57)【要約】【課題】洗浄水の排出量を切り替えるための構成として、制御筒を収容して排水口を囲むように設けられた筒体の側壁に形成された開口部を筒体の外側から開閉する第１切替弁および第２切替弁を備える構成において、第２切替弁の動作を安定させ、洗浄水の排出量を安定させる。【解決手段】便器を洗浄する洗浄水を貯える洗浄水タンクの排水弁装置の第２切替弁８０は、第１切替弁側に突出形成され、第１切替弁の連通口に挿入される挿入突部８３と、挿入突部８３が形成される第１の面としての手前側面８４ａと、手前側面８４ａよりも筒体である小タンク６０に対して外側に離れる位置に設けられた第２の面としての奥側面８５ａとを有する。【選択図】図９
2015190214.tif 000002
【特許請求の範囲】
【請求項１】
便器を洗浄する洗浄水を貯える洗浄水タンクの排水弁装置であって、
前記洗浄水タンクの底面に配置された排水口を開閉する弁体と、この弁体の上下動を制御する制御筒とを有する排水弁と、
前記排水口および前記制御筒の周囲を取り囲むように前記洗浄水タンクの底面から上方に延びて上方を開放する側壁と、この側壁を貫くように形成された開口部とを有する筒体と、
閉弁状態で前記筒体の内外を連通させる連通口を有し、閉弁状態となることで前記開口部の開口面積を減少させる第１切替弁と、
前記筒体に対して前記第１切替弁の外側に設けられ、閉弁状態となることで前記第１切替弁により減少した前記開口面積をさらに減少させる第２切替弁と、を備え、
前記第２切替弁は、
前記第１切替弁側に突出形成され、前記連通口に挿入される挿入突部と、
前記挿入突部が形成される第１の面と、
前記第１の面よりも前記筒体に対して外側に離れる位置に設けられた第２の面と、を有する
ことを特徴とする排水弁装置。
【請求項２】
前記第１の面は、前記第２の面よりも面積が小さい
ことを特徴とする請求項１に記載の排水弁装置。
【請求項３】
前記開口部は、前記筒体の鉛直方向の中央位置より上側に設けられている
ことを特徴とする請求項１または請求項２に記載の排水弁装置。
【請求項４】
前記第２切替弁は、前記第１切替弁よりも縦方向の寸法および横方向の寸法が長く、
前記第２切替弁の周囲には、前記第２の面から前記第１切替弁側に立つ壁部が設けられている
ことを特徴とする請求項１〜３のいずれか１項に記載の排水弁装置。
【請求項５】
前記第１切替弁の内側に、前記開口部から前記筒体内に流入する洗浄水に乱流を生じさせる乱流形成部が設けられている
ことを特徴とする請求項１〜４のいずれか１項に記載の排水弁装置。
【請求項６】
前記乱流形成部は、前記第１切替弁の内側に設けられた複数の突起部である
ことを特徴とする請求項５に記載の排水弁装置。
【請求項７】
前記第２切替弁の外側には、前記第２切替弁を自重により動作させて開弁状態とするための錘が取り付けられており、
前記錘は、前記第２の面よりも前記筒体に対して外側に離れる位置に設けられている
ことを特徴とする請求項１〜６のいずれか１項に記載の排水弁装置。
【請求項８】
請求項１〜７のいずれか１項に記載の排水弁装置を備えた洗浄水タンク装置。
【請求項９】
請求項８に記載の洗浄水タンク装置を備えた水洗大便器。
【発明の詳細な説明】
【技術分野】
【０００１】
本発明は、便器等を洗浄する洗浄水を貯水する洗浄水タンク内等に備えられる排水弁装置、ならびにそれを備えた洗浄水タンク装置および水洗大便器に関する。
【背景技術】
【０００２】
従来、便器を洗浄する洗浄水の貯水および排水を行う洗浄水タンク装置には、使用者等による操作によって洗浄水の排出量が切り替わる構成を備えるものがある。この種の洗浄水タンク装置は、洗浄水を貯水する洗浄水タンク内に、洗浄水を排出させるための排水弁装置を備える。
【０００３】
排水弁装置は、洗浄水タンクの底面に配置され洗浄水を排出する排水口をフロートによる浮力を用いて開閉する排水弁と、フロートに浮力を与えるための洗浄水を収容する貯水部分を構成して排水弁の弁体を制御する制御筒と、制御筒を収容して排水口を囲むように設けられる筒体とを有する。そして、排水弁装置は、洗浄水の排出量を切り替えるための構成として、筒体の側壁に形成された開口部を筒体の外側から開閉する切替弁を備える。
【０００４】
このような構成を備える排水弁装置としては、筒体に設けられる切替弁として、第１切替弁と、筒体に対して第１切替弁の外側に設けられた第２切替弁とを備えるものが知られている（例えば、特許文献１参照。）。第１切替弁は、閉じた状態となることで、筒体の開口部の開口面積を減少させる。第２切替弁は、閉じた状態となることで、第１切替弁が閉じた状態からさらに筒体の開口部の開口面積を減少させる。これらの切替弁の開閉動作により、筒体側壁の開口部の開口面積が段階的に変化させられ、洗浄水の排出量が大洗浄モード・小洗浄モード・エコ小洗浄モードの３つのモードにより３段階に切り替えられる。具体的には次のとおりである。
【０００５】
大洗浄モードの場合は、第１切替弁および第２切替弁の両方が開いた状態、つまり筒体側壁の開口部が開放された状態のまま、洗浄水の排出動作が行われる。大洗浄モードでは、開放された状態の開口部から筒体内に洗浄水が流れ込むことにより、比較的多量の洗浄水が排出される。これに対し、小洗浄モードの場合は、洗浄水の排出動作の開始にともなって第１切替弁および第２切替弁によって一旦筒体側壁の開口部が閉じられた後、第２切替弁のみが自重により開いた状態となる。なお、第１切替弁については、筒体の内外の水圧の差によって閉じた状態が保持される。小洗浄モードでは、大洗浄モードの場合と比べて、筒体側壁の開口部から筒体内に流れ込む洗浄水の量が減り、洗浄水の排出量が少なくなる。また、エコ小洗浄モードの場合は、小洗浄モードの場合と同様に排水開始にともなって第１切替弁および第２切替弁が一旦閉じられ、その後、第２切替弁が自重によって開くまでの間に、第２切替弁の閉状態が所定の時間保持される。これにより、筒体側壁の開口部から筒体内に流れ込む洗浄水の量がより減少し、小洗浄モードの場合と比べて洗浄水の排出量が少なくなる。
【先行技術文献】
【特許文献】
【０００６】
【特許文献１】特開２０１１−２４１５５２号公報
【発明の概要】
【発明が解決しようとする課題】
【０００７】
上述したように洗浄水の排出量が切替弁の動作によって切り替えられる排水弁装置においては、次のような問題がある。小洗浄モードおよびエコ小洗浄モードのように、第１切替弁および第２切替弁の両方の切替弁が一旦閉じられる洗浄モードにおいて、第２切替弁が所定のタイミングで開かないという現象が生じる場合がある。すなわち、正常な動作としては、閉じた状態の第１切替弁から所定のタイミングで第２切替弁が離れ、第２切替弁のみが開く動作が行われるところ、異常な動作として、閉じた状態の第１切替弁から所定のタイミングで第２切替弁が離れず、第１切替弁および第２切替弁の両方の切替弁が閉じた状態が必要以上に継続されるという現象が生じる場合がある。第２切替弁の開くタイミングが遅れると、排水口からの洗浄水の排出量が減少し、小洗浄モードおよびエコ小洗浄モードにおいて便器に対して十分な量の洗浄水が供給できなくなる。
【０００８】
上述したような異常な動作が生じる原因の一つに、洗浄水タンクからの洗浄水の排出の過程において、切替弁により開閉される開口部が設けられた筒体内の水位の低下速度が速いことがある。すなわち、筒体内の水が無くなることにより、筒体の内外の圧力差が大きくなり、第２切替弁が筒体の外側から水圧によって閉じる側へ押し付けられ、閉じた状態の第１切替弁から第２切替弁が離れにくくなり、第２切替弁が閉じた状態が必要以上に維持されることになる。
【０００９】
洗浄水の排出の過程における筒体内の水位の低下速度の上昇は、洗浄水の排出先である便器において導水路の流路面積が広く便器側の圧力損失（先抵抗）が小さいことで生じる。所定の洗浄水タンク装置によって様々な種類の便器に対応しようとした場合、便器の形状等によっては、先抵抗が小さくなり、上述のように筒体内の水位が早く低下する現象が生じることになる。
【００１０】
そこで、筒体の内外の圧力差に起因する第２切替弁の開弁タイミングの遅延を解消するために、第２切替弁に作用する水圧を低下させるべく、第２切替弁の大きさを小さくし、受圧面積を小さくすることが考えられる。しかしながら、第２切替弁を小さくすると、第１切替弁が第２切替弁側から覆われる面積が減少するため、大洗浄モードにおいて、第１切替弁および第２切替弁が開いた状態で開口部から筒体内に流れ込む洗浄水の水流により、第１切替弁が煽られてしまい、第１切替弁が閉じてしまうという問題が生じる。第１切替弁が煽られて閉じてしまうと、大洗浄モードで必要な洗浄水量を確保することができなくなる。
【００１１】
本発明は、上記のような問題点に鑑みてなされたものであり、洗浄水の排出量を切り替えるための構成として、制御筒を収容して排水口を囲むように設けられた筒体の側壁に形成された開口部を筒体の外側から開閉する第１切替弁および第２切替弁を備える構成において、第２切替弁の動作を安定させることができ、洗浄水の排出量を安定させることができる排水弁装置、洗浄水タンク装置、および水洗大便器を提供することを目的とする。
【課題を解決するための手段】
【００１２】
本発明に係る排水弁装置は、便器を洗浄する洗浄水を貯える洗浄水タンクの排水弁装置であって、前記洗浄水タンクの底面に配置された排水口を開閉する弁体と、この弁体の上下動を制御する制御筒とを有する排水弁と、前記排水口および前記制御筒の周囲を取り囲むように前記洗浄水タンクの底面から上方に延びて上方を開放する側壁と、この側壁を貫くように形成された開口部とを有する筒体と、閉弁状態で前記筒体の内外を連通させる連通口を有し、閉弁状態となることで前記開口部の開口面積を減少させる第１切替弁と、前記筒体に対して前記第１切替弁の外側に設けられ、閉弁状態となることで前記第１切替弁により減少した前記開口面積をさらに減少させる第２切替弁と、を備え、前記第２切替弁は、前記第１切替弁側に突出形成され、前記連通口に挿入される挿入突部と、前記挿入突部が形成される第１の面と、前記第１の面よりも前記筒体に対して外側に離れる位置に設けられた第２の面と、を有することを特徴とするものである。このような構成の排水弁装置によれば、第１切替弁と第２切替弁との間の間隔を広くすることができ、第１切替弁と第２切替弁との間の隙間における洗浄水の水流の流速を遅くすることができる。このため、閉じた状態の第２切替弁の内側と外側の圧力差を小さくすることができ、第２切替弁が開かずに閉じた状態が必要以上に維持されるという現象を防止することが可能となる。これにより、第２切替弁の動作を安定させることができ、第２切替弁の開弁タイミングの遅れに起因する洗浄水の排出量の減少を抑制することができ、第１切替弁および第２切替弁の両方の切替弁が一旦閉じられてから第２切替弁のみが開く洗浄モードにおいて、便器に対して十分な量の洗浄水が供給できなくなるといった不具合を解消することができる。
【００１３】
本発明のうち他の態様に係る排水弁装置は、前記第１の面は、前記第２の面よりも面積が小さいことを特徴とするものである。このような構成の排水弁装置によれば、第１切替弁と第２切替弁の間を流れる洗浄水の流速が速くなる箇所の面積を小さくすることが可能となる。これにより、閉じた状態の第２切替弁の内側と外側の圧力差を効果的に小さくすることができ、第２切替弁が開かずに閉じた状態が必要以上に維持されるという現象を防止することが可能となる。
【００１４】
本発明のうち他の態様に係る排水弁装置は、前記開口部は、前記筒体の鉛直方向の中央位置より上側に設けられていることを特徴とするものである。このような構成の排水弁装置によれば、開口部が開放された状態で洗浄水の排出が行われる洗浄モードにおいて、排水弁の閉弁後における筒体の外側の最終的な水位を、開口部の開口の下端位置とすることができる。これにより、開口部が開放された状態で洗浄水の排出が行われる洗浄モードにおいて洗浄水の排出量のばらつきを抑制することができる。
【００１５】
本発明のうち他の態様に係る排水弁装置は、前記第２切替弁は、前記第１切替弁よりも縦方向の寸法および横方向の寸法が長く、前記第２切替弁の周囲には、前記第２の面から前記第１切替弁側に立つ壁部が設けられていることを特徴とするものである。このような構成の排水弁装置によれば、第１切替弁と第２切替弁が開放された状態で洗浄水の排出が行われる洗浄モードにおいて、筒体の外部から開口部を介して筒体の内部へと流れ込む水流が第１切替弁と第２切替弁との間に入り込んで第１切替弁が煽られて閉じてしまうことを防ぐことができる。
【００１６】
本発明のうち他の態様に係る排水弁装置は、前記第１切替弁の内側に、前記開口部から前記筒体内に流入する洗浄水に乱流を生じさせる乱流形成部が設けられていることを特徴とするものである。このような構成の排水弁装置によれば、第１切替弁と第２切替弁が開放された状態で洗浄水の排出が行われる洗浄モードにおいて、筒体の外部から開口部を介して筒体の内部へと流れ込む洗浄水の水流について、第１切替弁の内側面上を流れる水流を乱すことができる。これにより、第１切替弁の内側面上を流れる水流の流速が遅くなるため、第１切替弁の内側の圧力の低下が抑制され、第１切替弁の内側と外側の圧力差によって第１切替弁が閉じてしまうことを防ぐことができ、洗浄モードに応じた洗浄水量を確保することができる。
【００１７】
本発明のうち他の態様に係る排水弁装置は、前記乱流形成部は、前記第１切替弁の内側に設けられた複数の突起部であることを特徴とするものである。このような構成の排水弁装置によれば、開口部を介して筒体の内部へと流れ込む洗浄水の水流について、広範囲に乱流を生じさせることができる。
【００１８】
本発明のうち他の態様に係る排水弁装置は、前記第２切替弁の外側には、前記第２切替弁を自重により動作させて開弁状態とするための錘が取り付けられており、前記錘は、前記第２の面よりも前記筒体に対して外側に離れる位置に設けられていることを特徴とするものである。このような構成の排水弁装置によれば、錘によって第２切替弁の開く方向に働くモーメントを大きくすることができる。これにより、第１切替弁および第２切替弁の両方の切替弁が一旦閉じられてその後、第２切替弁のみが開く洗浄モードにおいて、第２切替弁が閉じた状態が必要以上に維持されるという現象を防止することが可能となる。
【００１９】
本発明に係る洗浄水タンク装置は、前記排水弁装置を備えたものである。このような洗浄水タンク装置によれば、圧力損失の少ない便器に適用された場合であっても、第１切替弁および第２切替弁の両方の切替弁が一旦閉じられてから第２切替弁のみが開く洗浄モードにおいて、第２切替弁が開かずに閉じた状態が必要以上に維持されるという現象を防止することが可能となる。
【００２０】
本発明に係る水洗大便器は、前記洗浄水タンク装置を備えたものである。このような水洗大便器によれば、便器側の圧力損失が少ない場合であっても、第１切替弁および第２切替弁の両方の切替弁が一旦閉じられてから第２切替弁のみが開く洗浄モードにおいて、第２切替弁が開かずに閉じた状態が必要以上に維持されるという現象を防止することが可能となる。これにより、便器（便器本体）として様々な種類の便器を備えることが可能となり、便器について高い汎用性を持った水洗大便器を実現することができる。
【発明の効果】
【００２１】
本発明によれば、洗浄水の排出量を切り替えるための構成として、制御筒を収容して排水口を囲むように設けられた筒体の側壁に形成された開口部を筒体の外側から開閉する第１切替弁および第２切替弁を備える構成において、第２切替弁の動作を安定させることができ、洗浄水の排出量を安定させることができる。
【図面の簡単な説明】
【００２２】
【図１】本発明の一実施形態に係る水洗大便器を示す一部断面図である。
【図２】本発明の一実施形態に係る洗浄水タンク装置の構成を示す正面断面図である。
【図３】本発明の一実施形態に係る排水弁装置の構成を示す側面断面図である。
【図４】本発明の一実施形態に係る排水弁装置の構成を示す側面図である。
【図５】本発明の一実施形態に係る排水弁装置の構成を示す分解斜視図である。
【図６】本発明の一実施形態に係る制御筒の構成を示す斜視図である。
【図７】本発明の一実施形態に係る排水弁装置の構成を示す側面断面図である。
【図８】本発明の一実施形態に係る排水弁装置の構成を示す側面断面図である。
【図９】本発明の一実施形態に係る第２切替弁を示す斜視図である。
【図１０】本発明の一実施形態に係る第２切替弁を示す図である。
【図１１】本発明の一実施形態に係る第２切替弁を示す図である。
【図１２】本発明の一実施形態に係る第２切替弁を示す斜視図である。
【図１３】本発明の一実施形態に係る第１切替弁を示す斜視図である。
【図１４】本発明の一実施形態に係る第１切替弁を示す図である。
【図１５】本発明の一実施形態に係る第１切替弁を示す図である。
【図１６】本発明の一実施形態に係る第１切替弁および第２切替弁を示す図である。
【発明を実施するための形態】
【００２３】
本発明は、洗浄水の排出量を切り替えるための構成として、排水口を囲むように設けられた筒体の側面に形成された開口部を筒体の外側から開閉する第１切替弁および第２切替弁を備える構成において、筒体の内外の差圧を緩和すべく第２切替弁等の形状を工夫することにより、筒体の内外の圧力差に起因して第２切替弁の開弁動作が不安定となることを防止し、洗浄水の排出量を安定させようとするものである。以下、本発明の実施の形態を説明する。
【００２４】
まず、本実施形態に係る洗浄水タンク装置の適用例について、図１を用いて説明する。図１は、本実施形態に係る洗浄水タンク装置が適用された水洗大便器の一部断面図を示す。
【００２５】
図１に示すように、本実施形態に係る水洗大便器１００は、洗浄水タンク装置１と便器本体２とを備える。本実施形態に係る洗浄水タンク装置１は、便器本体２に対して設けられ、便器本体２を洗浄する洗浄水の貯水、および便器本体２に対する洗浄水の排水を行う。便器本体２は、洗浄水タンク装置１から供給される洗浄水を受けるボウル部３と、ボウル部３の上縁部に形成されたリム部４と、洗浄水タンク装置１から排出された洗浄水をボウル部３へと導く導水路５とを有する。ボウル部３の上端部の内壁面には、導水路５から供給される洗浄水を吐水する吐水口６が開口している。吐水口６から吐水された洗浄水は、ボウル部３の壁面に沿って旋回しながら下降してボウル部３を洗浄する。なお、図示は省略するが、便器本体２においては、ボウル部３の下方の溜水部に連通する排水トラップ管路や、溜水部の溜水を上下方向に旋回させる旋回流を生じさせるために導水路５からの洗浄水を溜水部の上方の位置にて吐水する吐水口等が形成されている。
【００２６】
このような水洗大便器１００において、洗浄水タンク装置１は、便器本体２の導水路５の流入側の開口部が位置する後部上面に載置固定された状態で設けられる。すなわち、洗浄水タンク装置１は、その洗浄水タンク１２の底面１２ａ（図２参照）に設けられた排水口１４が導水路５に対して上側から臨むように設けられる。そして、洗浄水タンク１２から排出される洗浄水が、排水口１４を介して導水路５へと排水され、ボウル部３へと供給される。なお、本実施形態に係る洗浄水タンク装置１は、図１に示す便器本体２のような水の落差による流水作用で汚物を押し出す先落とし式の水洗便器のほか、他のタイプの水洗便器（例えば、サイホン作用で汚物を吸い込むように排出するサイホン式の便器等）であっても適用可能である。
【００２７】
本実施形態に係る洗浄水タンク装置１は、便器本体２に対する洗浄水の排出量に関し、使用者等による操作によって便器本体２に対する洗浄水の排出量が３段階に切り替わる構成を備える。具体的には、洗浄水タンク装置１は、洗浄水の排出量が多い順に、大洗浄を行う大洗浄モード、小洗浄を行う小洗浄モード、およびエコ小洗浄を行うエコ小洗浄モードの３つの洗浄モードを有する。洗浄水タンク装置１の各洗浄モードでの動作については後述する。
【００２８】
次に、本実施形態に係る洗浄水タンク装置１の構成について説明する。洗浄水タンク装置１は、便器本体２を洗浄する洗浄水の貯水および排水を行うものである。図２に示すように、本実施形態に係る洗浄水タンク装置１は、外装タンク１１と、外装タンク１１内に設けられ、便器本体２に供給される洗浄水を貯水する洗浄水タンク１２とを備える。外装タンク１１は、例えば陶器製の部材により構成され、上側が開口した箱状の部材であって洗浄水タンク１２を収容する空間を形成する本体部１１ａと、この本体部１１ａの上側の開口部を覆うように取り付けられる蓋体１１ｂとを有する。
【００２９】
外装タンク１１を構成する蓋体１１ｂには、その上面側において手洗い鉢１１ｃが形成されている。手洗い鉢１１ｃ上には、手洗い鉢１１ｃに向けて吐水する吐水部１１ｄが立設されている。吐水部１１ｄからは、洗浄水タンク１２内の水が供給されて吐水される。吐水部１１ｄから吐水された水は、手洗い鉢１１ｃの中央部に設けられた排出口１１ｅから排出され、洗浄水タンク１２内に流入する。排出口１１ｅから洗浄水タンク１２内に流入する水は、蓋体１１ｂの下方に設けられた導水部材１３により、洗浄水タンク１２内における所定の場所に導かれる。
【００３０】
洗浄水タンク１２は、便器本体２に供給する洗浄水を貯水し、洗浄水を排出する排水口１４が底面１２ａに形成されたものである。洗浄水タンク１２は、外装タンク１１を構成する本体部１１ａの内部において固定された状態で設けられる。洗浄水タンク１２の底面１２ａにおける略中央部には、上述したように導水路５に臨む排水口１４が設けられている。排水口１４は、洗浄水タンク１２の底面１２ａを開口させるとともに底面１２ａから下側に向けて突出して下側に開口する筒状の突出部分として設けられている。排水口１４は、洗浄水タンク１２の貯水空間を導水路５内に連通させる。洗浄水タンク１２は、筒状の排水口１４を外装タンク１１の底部１１ｆに貫通させた状態で、所定の係合部材１５によって固定される。洗浄水タンク１２は、その底面１２ａにおいて排水口１４の周囲に設けられた複数（図２においては２箇所）の固定部１６にて、固定部材１７により外装タンク１１の底部１１ｆに対して固定される。また、洗浄水タンク１２は、その大部分が断熱体１８によって被装されている。
【００３１】
洗浄水タンク装置１は、洗浄水タンク１２内に水を供給するための洗浄水供給装置２０と、使用者等の操作を受けて作動する操作装置３０と、操作装置３０によって操作され、洗浄水タンク１２内を排出するための排水弁装置４０とを備える。
【００３２】
洗浄水供給装置２０について、図２を用いて説明する。図２に示すように、洗浄水供給装置２０は、給水管２１と、給水バルブ装置２２と、吐水管２３と、給水装置用フロート２４と、手洗い給水管２５とを有する。
【００３３】
給水管２１は、外装タンク１１の外部の水道管等の給水源に接続され、給水源からの給水を受ける。給水バルブ装置２２は、給水管２１からの給水経路を開閉するバルブ機構を有する。吐水管２３は、給水バルブ装置２２を介して給水管２１と連通し、給水源から給水された水を洗浄水タンク１２内に吐水する。給水装置用フロート２４は、上下方向に延びるロッド２６ａの下端側に設けられ、ロッド２６ａおよびロッド２６ａの上端部に設けられた作動アーム２６ｂを介して給水バルブ装置２２に連結される。
【００３４】
洗浄水供給装置２０においては、洗浄水タンク１２内の水位の変動による給水装置用フロート２４の上下動にともない、ロッド２６ａおよび作動アーム２６ｂを介して給水バルブ装置２２が開閉動作し、洗浄水タンク１２内の洗浄水の水位が調整される。本実施形態では、排水弁装置４０が作動することによる洗浄水タンク１２からの排水開始後に、洗浄水供給装置２０による給水が開始される。また、本実施形態の洗浄水供給装置２０は、洗浄水タンク１２の満水時における洗浄水の水位が所定の水位ＷＬ（図２参照。）で一定となるように構成されている。
【００３５】
また、洗浄水供給装置２０において、手洗い給水管２５は、給水源からの給水経路が分岐された配管構成であり、給水源からの給水経路において分配された給水を手洗い鉢１１ｃ上の吐水部１１ｄへと供給する。洗浄水供給装置２０は、洗浄水タンク装置１から便器本体２への洗浄水の供給開始時（排水開始時）に、給水管２５による吐水部１１ｄへの水の供給を開始する。なお、洗浄水供給装置２０としては、周知の構成のものを採用することができるため、洗浄水供給装置２０の各部の具体的な構成については説明を省略する。
【００３６】
操作装置３０について、図２を用いて説明する。操作装置３０は、使用者等による操作を受けることで作動し、排水弁装置４０を作動させる。図２に示すように、操作装置３０は、操作レバー３１と、回動伝達部材３２と、第１の引上げ部材３３と、第２の引上げ部材３４と、第１の玉鎖３５と、第２の玉鎖３６とを有する。また、操作装置３０は、モータ３８と、モータ３８に無線または有線で接続される操作部３９とを有する。操作部３９は、大洗浄用・小洗浄用・エコ小洗浄用の各洗浄を実行させるための３つの操作ボタンを有する。
【００３７】
操作レバー３１は、外装タンク１１の外側に設けられ、使用者等によって回動操作される手動式の操作部である。図２に示す例では、操作レバー３１は、本体部１１ａの一側（図２において右側）の側壁から突出するように設けられている。操作レバー３１の操作としては、操作レバー３１が回動する方向によって、大洗浄用の操作または小洗浄用の操作が行われる。操作装置３０は、操作レバー３１が一方向（例えば図２において手前側）に約９０°回動操作されると、排水弁装置４０に対して大洗浄用の動作を行い、操作レバー３１が他方向（例えば図２において奥側）に約９０°回動操作されると、排水弁装置４０に対して小洗浄用の動作を行う。
【００３８】
また、モータ３８は、操作部３９において大洗浄用の操作ボタンが押されることにより、操作レバー３１が一方向に約９０°回動操作された場合と同様の排水弁装置４０に対する大洗浄用の動作が操作装置３０において行われるように回転して回動伝達部材３２に作用する。モータ３８は、操作部３９において小洗浄用の操作ボタンが押されることにより、操作レバー３１が他方向に約９０°回動操作された場合と同様の排水弁装置４０に対する大洗浄用の動作が操作装置３０において行われるように回転して回動伝達部材３２に作用する。このように、本実施形態では、大洗浄および小洗浄については、操作装置３０は、操作レバー３１の操作および操作部３９の操作のいずれの操作によっても動作する。これに対し、エコ小洗浄については、操作装置３０は、操作部３９の操作によってのみ、つまりモータ３８によってのみ動作する。
【００３９】
回動伝達部材３２は、軸体やワイヤ部材やユニバーサルジョイント等により構成され、操作レバー３１の回動操作に連動して回動する軸状の構造である。回動伝達部材３２は、外装タンク１１の外側に設けられる操作レバー３１に対して連結機構３７を介して連結され、外装タンク１１の内部において略水平方向に延設される。回動伝達部材３２の操作レバー３１と連結される側（図２において右側）と反対側に、第１の引上げ部材３３および第２の引上げ部材３４が設けられる。
【００４０】
第１の引上げ部材３３および第２の引上げ部材３４は、外装タンク１１の幅方向（図２において左右方向）の略中央部に配置され、いずれも回動伝達部材３２に外嵌された状態で回動伝達部材３２から下側に延設されるように設けられたアーム状の部材である。第１の引上げ部材３３および第２の引上げ部材３４は、いずれも回動伝達部材３２の回動動作にともなって揺動する。第１の引上げ部材３３の先端部には、第１の玉鎖３５の一端（上端）が連結され、第２の引上げ部材３４の先端部には、第２の玉鎖３６の一端（上端）が連結される。第１の玉鎖３５および第２の玉鎖３６の他端は、それぞれ排水弁装置４０における所定の場所に連結される。
【００４１】
第１の引上げ部材３３および第２の引上げ部材３４は、回動伝達部材３２に対して、次のような動作が行われるように設けられる。回動伝達部材３２が大洗浄用の操作として一方向に回動されると、その回動にともなって第１の引上げ部材３３のみが一方向に揺動して第１の玉鎖３５を引き上げる。また、回動伝達部材３２が小洗浄用またはエコ小洗浄用の操作として他方向に回動されると、その回動にともなって第１の引上げ部材３３および第２の引上げ部材３４の両方が他方向に揺動して第１の玉鎖３５および第２の玉鎖３６を引き上げる。
【００４２】
排水弁装置４０について、図２から図８を用いて説明する。排水弁装置４０は、便器本体２に供給される洗浄水を貯える洗浄水タンク１２に設けられ、洗浄水タンク１２内を排出するための構成である。排水弁装置４０は、弁体４１と、作動杆としてのオーバーフロー管４２と、貯水筒４３と、フロート５０と、筒体としての小タンク６０とを備える。
【００４３】
弁体４１は、洗浄水タンク１２の底面１２ａに配置された排水口１４を開閉する。弁体４１は、ゴム等の合成樹脂材料からなる弾性部材であって、円環状の形状を有し、オーバーフロー管４２の下端部においてオーバーフロー管４２の外周面から鍔状に突出するような態様で設けられる。本実施形態では、弁体４１は、オーバーフロー管４２の下端部において上下方向に所定の隙間をもって設けられた上下２段の鍔状の挟持片部４２ａ間に嵌め込まれた状態で、オーバーフロー管４２と一体的に設けられる。
【００４４】
オーバーフロー管４２は、洗浄水タンク装置１の待機状態、つまり洗浄水タンク１２の満水状態において上端開口部を洗浄水タンク１２の水位ＷＬよりも上方に位置させるとともに、下端開口部を排水口１４に連通させる。これにより、洗浄水タンク１２内の余剰の洗浄水がオーバーフロー管４２によって排水口１４へと排出される。
【００４５】
オーバーフロー管４２は、弁体４１を下端部に有し上下動することで弁体４１による排水口１４の開閉を行う。すなわち、オーバーフロー管４２は、上述したように下端部に設けられる上下２段の挟持片部４２ａ間に挟まれた態様で設けられた弁体４１を有し、この弁体４１とともに一体的に上下動作を行う。オーバーフロー管４２とともに上下動作する弁体４１により、排水口１４が開閉される。このように、オーバーフロー管４２と一体的に動作する弁体４１は、排水口１４を開閉する排水弁５１を構成する。
【００４６】
オーバーフロー管４２の中間部には、上述したように一端（上端）が第１の引上げ部材３３に連結される第１の玉鎖３５の他端（下端）が連結される係止部材４４が設けられている。係止部材４４は、周方向の一部が切り欠かれた円環状ないしは筒状の本体部４４ａを有し、この本体部４４ａの部分を、オーバーフロー管４２の中間部に形成された縮径部分である凹部４２ｂに嵌合させた状態で設けられる。係止部材４４は、凹部４２ｂに嵌め込まれた状態で、オーバーフロー管４２の軸方向（上下方向）については相対的な移動が規制される（位置決めされる）とともに、オーバーフロー管４２の軸方向を回転軸方向とする水平方向の相対的な回転が許容された状態で、オーバーフロー管４２に保持される。
【００４７】
このような構成により、上述したような操作レバー３１の操作に連動した回動伝達部材３２の回動にともなう第１の引上げ部材３３の揺動によって第１の玉鎖３５が引き上げられることで、係止部材４４を介して第１の玉鎖３５の下端側が連結されたオーバーフロー管４２が引き上げられる。これにより、オーバーフロー管４２と弁体４１とが一体的に上昇して排水口１４が開かれた状態となる。ここで、弁体４１は、洗浄水タンク１２内に貯水されている洗浄水に作用する重力により（ヘッド圧により）、排水口１４を閉じる方向（鉛直下方）に押さえられているため、第１の玉鎖３５が引き上げられた際、先に係止部材４４がオーバーフロー管４２に対して回転し、その後、オーバーフロー管４２が鉛直上方に引き上げられることになる。
【００４８】
貯水筒４３は、オーバーフロー管４２を筒軸方向に貫通させるとともに洗浄水を流出させるための小孔４３ａ、４３ｂ（図６参照）が周面に形成された筒状の部分である。貯水筒４３は、フロート５０に浮力を与えるための洗浄水を収容する空間を形成するとともに、排水口１４からの洗浄水の排水の過程で、収容した洗浄水を小孔４３ａ、４３ｂから排出する。
【００４９】
貯水筒４３は、オーバーフロー管４２を筒軸方向に貫通させる制御筒４５の一部として構成される。制御筒４５は、略円筒状の外筒部４７と、外筒部４７の内側において外筒部４７と同軸心状に設けられる略円筒状の内筒部４８とを有し、これらからなる２重筒構造を有する。外筒部４７および内筒部４８は、いずれも筒軸方向（上下方向）の両端を開口させている。
【００５０】
外筒部４７と内筒部４８との間には、これらを繋ぐ水平隔壁部４９が設けられている。水平隔壁部４９は、外筒部４７における上下方向の中央よりも下側寄りの位置であって、内筒部４８の下端部の位置に設けられている。水平隔壁部４９は、制御筒４５が有する２重筒構造において、外筒部４７の内周面４７ａと内筒部４８の外周面４８ａとをつなぐ円環板状の部分である。
【００５１】
このような構成により、制御筒４５において、外筒部４７の内周面４７ａと、内筒部４８の外周面４８ａと、水平隔壁部４９の上面４９ａとによって、上側に開口する貯水可能な円筒状の空間が形成される。かかる円筒状の空間が、フロート５０およびフロート５０に浮力を与えるための洗浄水を収容する空間となる。このように制御筒４５において円筒状の収容空間を形成する部分が、貯水部としての貯水筒４３となる。
【００５２】
貯水筒４３においては、内筒部４８内に、オーバーフロー管４２が貫通する。内筒部４８は、オーバーフロー管４２の上下動作をガイドする機能を有する。また、貯水筒４３においては、外筒部４７の周壁に、２つの小孔４３ａ、４３ｂがその周壁を貫通するように形成されている。
【００５３】
小孔４３ａ、４３ｂは、貯水筒４３に貯水された洗浄水を貯水筒４３内から所定の流量で排出させるための開口部である。２つの小孔４３ａ、４３ｂは、外筒部４７の周壁の下端部における略同じ高さ位置にて周方向に所定の間隔を開けて設けられている（図６参照）。ここで、２つの小孔４３ａ、４３ｂのうち、一方の小孔４３ａは、外筒部４７の外周側に上下スライド可能に付設された板状の切替部材４６のスライド移動により開閉可能に構成されている。つまり、切替部材４６による小孔４３ａの開閉により、貯水筒４３内から流出させる洗浄水の流量が調節される。なお、本実施形態では、貯水筒４３内の洗浄水を排出させるための小孔が２箇所に設けられているが、この小孔は少なくとも１箇所に設けられればよい。また、本実施形態では、小孔４３ａ、４３ｂは、外筒部４７において側面部分である周壁に形成されているが、例えば、貯水筒４３を構成する水平隔壁部４９において上下方向に貫通するように形成されてもよい。
【００５４】
貯水筒４３を構成する制御筒４５は、その下側の開口端、つまり外筒部４７の下側の開口端を、洗浄水タンク１２の底面１２ａに開口する排水口１４に臨ませるように、底面１２ａ上に立設された状態で設けられる。つまり、制御筒４５は、排水口１４の洗浄水タンク１２内への開口部に覆い被さるように配置され、制御筒４５の内部空間と排水口１４の内部空間とが互いに連通するように設けられる。そして、制御筒４５において構成される貯水筒４３よりも下側の部分、つまり貯水筒４３を構成する外筒部４７の水平隔壁部４９よりも下側の延設部分には、制御筒４５の内外を連通させる流入口４５ｂが形成されている。流入口４５ｂは、洗浄水タンク１２内の洗浄水の排水口１４からの排出時に、制御筒４５の貯水筒４３よりも下側の部分において、制御筒４５外の洗浄水を制御筒４５内に流入させて排水口１４へと流入させる。このように、本実施形態に係る排水弁５１は、洗浄水タンク１２の底面１２ａに配置された排水口１４を開閉する弁体４１と、洗浄水を収容する貯水筒４３を構成して弁体４１の上下動を制御する制御筒４５とを有する。
【００５５】
フロート５０は、上述したように制御筒４５において構成される貯水筒４３内に配置され、貯水筒４３内の洗浄水によって得た浮力をオーバーフロー管４２に作用させる筒状の部材である。フロート５０は、貯水筒４３内の洗浄水の水位の変動にともなって浮力により上下動する。
【００５６】
フロート５０は、例えばポリプロピレン等の合成樹脂材料からなり、筒状の外形を有する中空部材である。フロート５０は、上側に開口する円筒状の空間を形成する貯水筒４３内に、内筒部４８を貫通させた態様で設けられる。フロート５０は、貯水筒４３内の洗浄水の水位の変動にともない、上側の一部を貯水筒４３の上側の開口から出没させるように上下動する。
【００５７】
フロート５０は、貯水筒４３内の洗浄水から得た浮力による上昇に際し、上述したようにオーバーフロー管４２に設けられる係止部材４４によって係止されることで、オーバーフロー管４２に作用する。係止部材４４は、フロート５０を係止させるため、本体部４４ａの外側に突出する係止片部４４ｂを有する。係止片部４４ｂは、円環状ないしは筒状の本体部４４ａの外周面から本体部４４ａの径方向に沿って突出し、本体部４４ａの周方向を板厚方向とする突片部である。本実施形態では、係止片部４４ｂは、オーバーフロー管４２の軸方向視で放射状となるように、本体部４４ａの周方向について略等間隔で４箇所に設けられている（図５参照）。
【００５８】
このようにフロート５０に対する係止部として係止片部４４ｂを突出させる係止部材４４は、浮力により上昇するフロート５０の上端面に当接することで、フロート５０のストッパとして機能するとともに、フロート５０の浮力による上昇作用を受けてその浮力の作用をオーバーフロー管４２に伝達させる浮力受け部として機能する。係止片部４４ｂは、これらの機能が発揮できる形状・大きさを有する。
【００５９】
フロート５０の浮力は、洗浄水タンク１２の満水時には、洗浄水の水圧（ヘッド圧）によって弁体４１を介して下方向に押さえ付けられているオーバーフロー管４２を上昇させることがないように、また、洗浄水タンク１２からの排水時には、弁体４１およびオーバーフロー管４２に作用する下向きの力よりやや大きくなるように設定される。
【００６０】
小タンク６０は、排水口１４および制御筒４５の周囲を取り囲むように洗浄水タンク１２の底面から上方に延びて上方を開放する側壁を構成する。小タンク６０は、フロート５０を収容する貯水筒４３を構成する制御筒４５を収容する。小タンク６０は、その横断面形状が略矩形状となる略四角筒状の筐体である。小タンク６０の上側の端部は、小タンク６０の略四角筒状の外形に沿って略四角形状に開放されており、その開放部分の開口形状に沿うとともに略水平面に沿う上縁部６０ａが存在する。また、小タンク６０の下端側には、小タンク６０の底面部を円形状に開口させた開口部６０ｂが設けられている。そして、小タンク６０は、その下側の開口部６０ｂに、制御筒４５の下端部を嵌らせるように、制御筒４５を収容する。
【００６１】
このように、小タンク６０および小タンク６０内に設けられる制御筒４５は、洗浄水タンク１２の底面１２ａに開口する排水口１４を取り囲むように、底面１２ａに立設した状態で取り付けられる。そして、オーバーフロー管４２が、制御筒４５において構成される貯水筒４３の内筒部４８内を挿通した状態で上下動可能に設けられ、オーバーフロー管４２の下端部に設けられた弁体４１により、オーバーフロー管４２の上下動にともなって排水口１４が開閉される。
【００６２】
小タンク６０の側壁の一部である一側（図３において右側）の側面部６１には、略矩形状の開口部６２が形成されている。開口部６２は、小タンク６０の側面部６１を貫通して小タンク６０の内外を連通させる開口を形成する部分である。上述したように制御筒４５とともに排水口１４を取り囲むように立設される小タンク６０は、制御筒４５との関係において、開口部６２が設けられる側を、制御筒４５の小孔４３ａ、４３ｂが設けられる側と反対側に位置させるように設けられる。以上のように、本実施形態に係る小タンク６０は、排水口１４および制御筒４５の周囲を取り囲むように洗浄水タンク１２の底面１２ａから上方に延びて上方を開放する側壁と、この側壁の一部である側面部６１を貫くように形成された開口部６２とを有する。
【００６３】
このような小タンク６０において、排水口１４からの洗浄水の排出量を切り替えるための構成として、小タンク６０の側面部６１に形成された開口部６２を小タンク６０の外側から開閉する切替弁が設けられている。本実施形態では、小タンク６０に設けられる切替弁として、開口部６２を開口面積的に段階的に開閉する第１切替弁７０および第２切替弁８０の２重の弁が設けられている。これらの第１切替弁７０および第２切替弁８０は、排水口１４からの洗浄水の排出時に小タンク６０の外側から小タンク６０内へと流入する洗浄水の量を調節する流量調節機構を構成する。
【００６４】
第１切替弁７０および第２切替弁８０は、いずれも全体として略矩形状に構成された部材であり、小タンク６０の外側から開口部６２を閉じるように、回動可能に支持された状態で設けられる。第１切替弁７０および第２切替弁８０は、開口部６２に対して第１切替弁７０を内側、第２切替弁８０を外側に位置させ、互いに近接した状態で互いに重なるように設けられる。
【００６５】
第１切替弁７０および第２切替弁８０は、いずれも下端部が共通の位置にて回動可能に支持される。具体的には、小タンク６０の開口部６２が設けられる側の側面部６１の開口部６２よりも下側の部分において、開口部６２を正面にして左右両側の角部分に、その角部分を凹ませた形状の凹部６３が設けられている。凹部６３は、側面部６１に対する段差面であって側面部６１と略平行な第１面部６３ａと、側面部６１に隣り合う側面部に対する段差面であって第１面部６３ａに対して略直角な面である第２面部６３ｂとを有し、小タンク６０の角筒形状の横断面形状において開口部６２が設けられる側面部６１側の部分を凸部分とする。そして、開口部６２の下側の部分において、開口部６２を正面にして左右方向の両側の凹部６３の第２面部６３ｂに、左右方向に突出する軸支部６０ｃが設けられている。
【００６６】
一方、第１切替弁７０は、略矩形板状の基部７１と、基部７１において互いに対向する一対の辺側に設けられた一対の支持突片部７２とを有する。一対の支持突片部７２は、一対の軸支部６０ｃをその軸方向の両側から挟む態様で軸支部６０ｃに嵌合する。各支持突片部７２は、軸支部６０ｃに軸支される部分に、軸支部６０ｃに嵌合するとともに軸支部６０ｃの軸方向の外側に突出する軸支部７２ａを有する（図１３等参照）。第１切替弁７０は、基部７１に設けられた一対の支持突片部７２により、軸支部７２ａを軸支部６０ｃに嵌合させた状態で、軸支部６０ｃに回動可能に支持される。
【００６７】
また、第２切替弁８０は、第１切替弁７０が重なる方向視（図１６参照）で略矩形状の外形を有する基部８１と、基部８１の略矩形状の外形において互いに対向する一対の辺側に設けられた一対の支持突片部８２とを有する。一対の支持突片部８２は、第１切替弁７０の一対の支持突片部７２の軸支部７２ａをその軸方向の両側から挟む態様で軸支部７２ａに嵌合する。各支持突片部８２は、軸支部７２ａに軸支される部分に、軸支部７２ａに嵌合する支持孔部８２ａを有する。第２切替弁８０は、基部８１に設けられた一対の支持突片部８２により、支持孔部８２ａを軸支部７２ａに嵌合させた状態で、第１切替弁７０の軸支部７２ａに回動可能に支持される。以上のような構造により、第１切替弁７０および第２切替弁８０が、共通の支軸部６５（図４参照）において所定の回動範囲で回動可能に支持される。
【００６８】
第１切替弁７０は、閉弁状態となること、つまり開口部６２を閉じた状態となることで開口部６２の開口面積を減少させる。このため、第１切替弁７０の基部７１には、連通口７１ａが形成されている。つまり、第１切替弁７０は、開口部６２を閉じた状態において、連通口７１ａにより、小タンク６０の内側と外側とを連通させる。連通口７１ａの開口面積は、開口部６２が全開のときより第１切替弁７０によって閉じられたときの方が洗浄水の流量が所定量少なくなるように、開口部６２の開口面積よりも所定の面積だけ小さく設定されている。このように、第１切替弁７０は、その閉弁状態で小タンク６０の内外を連通させる連通口７１ａを有し、開口部６２を閉じることで、開口部６２において小タンク６０の内外を連通させる開口面積を減少させる。
【００６９】
また、第２切替弁８０は、小タンク６０に対して第１切替弁７０の外側に設けられ、閉弁状態となること、つまり開口部６２を閉じた状態となることで第１切替弁７０により減少した開口部６２の開口面積をさらに減少させる。このため、第２切替弁８０の基部８１には、第１切替弁７０側に向けて延びる挿入突部８３が設けられている。つまり、挿入突部８３は、第２切替弁８０において第１切替弁７０側の面部に突出形成されている。挿入突部８３は、第２切替弁８０が閉じる方向に回動して第１切替弁７０に近接することで第１切替弁７０の連通口７１ａに挿入される。第２切替弁８０は、挿入突部８３を第１切替弁７０の連通口７１ａに挿入させることで、開口部６２において第１切替弁７０が閉じられることで減少した小タンク６０の内外を連通させる開口面積をさらに減少させる。
【００７０】
また、第２切替弁８０の回動支持側と反対側（上側）の端部には、第２の玉鎖３６の他端（下端）が連結される係止部８１ａが設けられている。これにより、回動伝達部材３２の回動による第２の引上げ部材３４の揺動にともなって第２の玉鎖３６が引き上げられることで、第２切替弁８０が支軸部６５を中心に開口部６２側へと回動するとともに、第１切替弁７０も第２切替弁８０に押されて支軸部６５を中心に開口部６２側へと回動する。第１切替弁７０および第２切替弁８０の回動範囲について、第１切替弁７０および第２切替弁８０は、開口部６２に対して最も離間した位置にある状態で、第１切替弁７０および第２切替弁８０が水平となる位置よりも手前の位置で所定角度傾いた状態となる（図３参照）。
【００７１】
また、第１切替弁７０および第２切替弁８０には、それぞれ動作を安定させるための錘９１、９２が取り付けられている。第１切替弁７０に取り付けられる錘９１は、矩形板状の形状を有し、第１切替弁７０の基部７１の内側（第２切替弁８０側と反対側）の面に板面を合わせた状態で設けられる。第２切替弁８０に取り付けられる錘９２は、錘９１と同様に矩形板状の形状を有し、第２切替弁８０の基部８１の外側（第１切替弁７０側と反対側）の所定の取付面に板面を合わせた状態で設けられる。なお、第１切替弁７０および第２切替弁８０における錘９１，９２の支持態様等を含め、本実施形態に係る第１切替弁７０および第２切替弁８０の詳細については後述する。
【００７２】
第１切替弁７０および第２切替弁８０は、いずれも基本的には洗浄水の水圧等の影響を無視した場合、開口部６２を閉じた状態から自重によって回動して開弁状態となるように回動可能に設けられる。すなわち、第１切替弁７０は、開口部６２を閉じた閉弁状態（図７、図８参照）から、錘９１の重さを含む自重によって回動して開弁状態となるように回動可能に設けられる。また、第２切替弁８０は、小タンク６０に対して第１切替弁７０の外側にて閉弁状態の第１切替弁７０に重なり開口部６２に最も近接した位置にある閉塞状態（図７参照）から、錘９２の重さを含む自重によって回動して開弁状態となるように回動可能に設けられる。
【００７３】
以上のように、小タンク６０の一側の側面部６１においては、支軸部６５において回動可能に支持された第１切替弁７０および第２切替弁８０の２体の弁体により、開口部６２における小タンク６０の内外の連通面積を段階的に調節して小タンク６０の外部から内部へと流入する洗浄水の量を調節する流量調節機構が構成されている。具体的には、本実施形態に係る流量調節機構は、開口部６２を全開させた状態、第１切替弁７０のみにより開口部６２を閉じた状態、第１切替弁７０および第２切替弁８０の両方により開口部６２を閉じた状態の３段階で、開口部６２における連通面積を調節する。
【００７４】
以上のような構成を備える本実施形態の洗浄水タンク装置１の動作について説明する。まず、洗浄水タンク装置１の洗浄動作として行われる３種類のモードの動作のうち、大洗浄モードでの動作について説明する。
【００７５】
洗浄水タンク装置１による便器本体２の洗浄が行われる前の待機状態においては、洗浄水タンク１２は満水状態（図２、水位ＷＬ参照）である。この待機状態においては、フロート５０が係止部材４４の係止片部４４ｂによってオーバーフロー管４２に作用するとともに、オーバーフロー管４２の下端部の弁体４１が、洗浄水タンク１２内の洗浄水のヘッド圧により下向きに押さえ付けられた状態となっている。
【００７６】
洗浄水タンク装置１による便器本体２の洗浄の開始時、大洗浄に際しては、使用者等によって、操作レバー３１の一方向（例えば図２において手前側）への回動操作、または操作部３９における大洗浄用の操作ボタンの押圧操作が行われる。これにより、回動伝達部材３２が第１の引上げ部材３３のみを揺動させる方向に回動し、第１の引上げ部材３３の揺動によって第１の玉鎖３５が引き上げられる。これにともない、係止部材４４によって第１の玉鎖３５の下端が連結されたオーバーフロー管４２が弁体４１とともに引き上げられ、排水口１４が開いて排水口１４からの洗浄水の排水が開始される。ここで、上述したように、第１の玉鎖３５が引き上げられた際、先に係止部材４４がオーバーフロー管４２に対して回転し、その後、オーバーフロー管４２が鉛直上方に引き上げられることから、オーバーフロー管４２が回転しながら鉛直上方に移動することが防がれ、排水弁装置４０の安定した開弁動作が得られる。
【００７７】
オーバーフロー管４２の引上げにより、オーバーフロー管４２の上昇にともなって、係止部材４４の係止片部４４ｂによってオーバーフロー管４２に作用していたフロート５０が浮力によって上昇する（図８参照）。つまり、係止部材４４の係止片部４４ｂによって浮力による上昇が規制されていたフロート５０が、オーバーフロー管４２と一体的に係止部材４４が上昇することにともなって上昇する。
【００７８】
操作レバー３１の操作によって大洗浄が行われた場合、オーバーフロー管４２等の引上げの完了直後に、操作レバー３１は初期位置（待機状態での位置）に戻り、これにともない、第１の引上げ部材３３等も初期位置に戻る。また、操作部３９の操作によって大洗浄が行われた場合、オーバーフロー管４２等の引上げの完了直後に、モータ３８の動作によって第１の引上げ部材３３が初期位置に戻るように回動伝達部材３２が回動される。
【００７９】
大洗浄の場合は、第１切替弁７０および第２切替弁８０は初期位置を保持したままであり、開口部６２は全開の状態に維持される（図３参照）。つまり、大洗浄モードにおいては、操作レバー３１または操作部３９の操作にともなう回動伝達部材３２の回動によって第２の引上げ部材３４は揺動されず、第２の玉鎖３６によって第２切替弁８０は引き上げられることなく、第１切替弁７０および第２切替弁８０は開口部６２から離間した状態、つまり開口部６２が全開の状態が維持される。したがって、大洗浄モードでは、開口部６２の開口面積はそれ自体の開口面積のまま一定である。
【００８０】
オーバーフロー管４２および弁体４１の上昇にともなって排水口１４からの排水が開始された後、排水口１４からの洗浄水の排出にともなって洗浄水タンク１２内の洗浄水の水位が全体的に低下する。そして、洗浄水タンク１２内の水位が小タンク６０の上縁部６０ａの付近まで低下した時点から、排水口１４からの排水にともなう小タンク６０内の洗浄水の水位の低下速度が、小タンク６０外の洗浄水の水位の低下速度に対して急激に速くなる。このことは、洗浄水タンク１２内の洗浄水の水位が小タンク６０の上縁部６０ａよりも下がることで、排水口１４に連通する小タンク６０内に対する洗浄水の流入について、小タンク６０の上側の開放部からの流入が無くなり、基本的には開口部６２からの流入のみとなることに基づく。
【００８１】
こうした小タンク６０内の洗浄水の排水口１４からの排水の過程において、貯水筒４３内に保持されている洗浄水が、小孔４３ａ、４３ｂから小タンク６０内へと流出し、その小孔４３ａ、４３ｂからの洗浄水の流出量に応じて、貯水筒４３内の洗浄水の水位が所定の速度で低下する。なお、２つの小孔４３ａ、４３ｂのうち、上述したように切替部材４６により開閉可能な一方の小孔４３ａの開閉によって、貯水筒４３内の洗浄水の小孔からの流出量が調節される。
【００８２】
貯水筒４３内の水位の低下にともない、フロート５０が下降し、そのフロート５０の下降に連動して、オーバーフロー管４２および弁体４１が下降する。ここで、下降するオーバーフロー管４２および弁体４１は、係止部材４４を介してフロート５０に作用した状態でフロート５０の下降に追従する態様となり、フロート５０の下降速度と同じ速度で下降する。
【００８３】
そして、排水口１４からの洗浄水の排出が継続して所定時間経過後、貯水筒４３内の洗浄水の水位がフロート５０に浮力を与えない位置まで低下し、オーバーフロー管４２と一体的に下降する弁体４１により排水口１４が閉じられ、排水弁５１が閉弁状態となり（図３参照）、所定のタイミングで排水口１４からの排水が終了する。このような弁体４１の閉弁動作に関し、上述したような２つの小孔４３ａ、４３ｂのうち一方の小孔４３ａが切替部材４６により閉じられている方が、閉じられていない場合よりも貯水筒４３からの洗浄水の流出量が少なくなるため、弁体４１が閉じるタイミングが遅くなる。つまり、一方の小孔４３ａが切替部材４６により閉じられている場合の方が、両方の小孔４３ａ、４３ｂが開いている場合よりも排水弁５１の開弁時間が長くなり排水口１４からの洗浄水の排出量が多くなる。このように、切替部材４６による一方の小孔４３ａの開閉の切替えにより、排水口１４からの洗浄水の排出量が調節される。
【００８４】
図２に示すように、弁体４１により排水口１４が閉じられた排水弁５１の閉弁後においては、洗浄水タンク１２内における小タンク６０の外の水位は、最終的な水位（死水位置）ＤＷＬとなる。本実施形態の洗浄水タンク装置１において、この最終的な水位ＤＷＬは、小タンク６０に設けられた開口部６２の開口の下端に位置することになる。
【００８５】
弁体４１が閉弁して排水口１４からの洗浄水の排出が終了した後は、上述したような洗浄水供給装置２０による洗浄水タンク１２内への給水により、洗浄水タンク１２内の洗浄水の水位が満水時の水位に戻り、洗浄水タンク装置１は待機状態となる。
【００８６】
次に、洗浄水タンク装置１の洗浄動作として行われる３種類のモードの動作のうち、小洗浄モードでの動作について説明する。
【００８７】
洗浄水タンク装置１の待機状態（満水状態）から、洗浄水タンク装置１による便器本体２の洗浄の開始時、小洗浄に際しては、使用者等によって、操作レバー３１の他方向（例えば図２において奥側）への回動操作、または操作部３９における小洗浄用の操作ボタンの押圧操作が行われる。これにより、回動伝達部材３２が第１の引上げ部材３３および第２の引上げ部材３４の両方を揺動させる方向に回動し、第１の引上げ部材３３の揺動にともない第１の玉鎖３５によってオーバーフロー管４２および弁体４１が引き上げられて排水口１４からの洗浄水の排水が開始されるとともに、第２の引上げ部材３４が揺動することによって第２の玉鎖３６が引き上げられる。これにより、小タンク６０の開口部６２に対して設けられる２重の弁体のうち外側の弁体である第２切替弁８０が引っ張られて開口部６２を閉じる方向に回動する。この第２切替弁８０の回動によって、第２切替弁８０の内側に位置する第１切替弁７０も第２切替弁８０に押されて回動する。ここで、第１切替弁７０および第２切替弁８０は、開口部６２を閉じる位置まで回動する（図７参照）。
【００８８】
オーバーフロー管４２の引上げにより、オーバーフロー管４２の上昇にともなって、係止部材４４の係止片部４４ｂによってオーバーフロー管４２に作用していたフロート５０が浮力によって上昇する（図８参照）。
【００８９】
操作レバー３１の操作によって小洗浄が行われた場合、オーバーフロー管４２等の引上げの完了直後に、操作レバー３１は初期位置（待機状態での位置）に戻り、これにともない、第１の引上げ部材３３および第２の引上げ部材３４等も初期位置に戻る。また、操作部３９の操作によって小洗浄が行われた場合、オーバーフロー管４２等の引上げの完了直後に、モータ３８の動作によって第１の引上げ部材３３および第２の引上げ部材３４が初期位置に戻るように回動伝達部材３２が回動される。
【００９０】
小洗浄の場合は、第２の引上げ部材３４が初期位置に戻ることで、第２切替弁８０が錘９２の重さを含む自重により初期位置に戻る。ただし、第１切替弁７０は、小タンク６０の内外の水圧の差によって開口部６２を閉じた状態で一定時間保持される。つまり、第２切替弁８０は開口部６２の開口面積について作用せずに第１切替弁７０のみによって開口部６２が一部閉じられた状態（図８参照）が、一定時間の間保持される。
【００９１】
ここで、第１切替弁７０が開口部６２を閉じた状態が保持されることについて説明する。排水弁５１が開いて排水が開始された後、小タンク６０内を流れる洗浄水の流速の方が、小タンク６０の外部を流れる洗浄水の流速よりも速くなる。このことは、小タンク６０の内部の流路面積が第１切替弁７０の連通口７１ａの開口面積よりも大きいことに基づく。小タンク６０の内側の流速が小タンク６０の外側の流速よりも速くなると、小タンク６０の内外で差圧が生じ、この差圧が第１切替弁７０に作用し、第１切替弁７０の開口部６２を閉じた状態が保持される。
【００９２】
このように第１切替弁７０の開口部６２を閉じた状態が一定時間保持されることにより、第１切替弁７０の連通口７１ａの開口面積が開口部６２の開口面積よりも狭い分、開口部６２において小タンク６０の内外を連通させる開口面積が減少し、開口部６２を介して小タンク６０の外側から内側に流れ込む洗浄水の流量が減少する。
【００９３】
オーバーフロー管４２および弁体４１の上昇にともなって排水口１４からの排水が開始された後、大洗浄の場合と同様に洗浄水タンク１２内の水位が低下する。すなわち、排水口１４からの洗浄水の排出にともなって洗浄水タンク１２内の洗浄水の水位が全体的に低下して、小タンク６０の上縁部６０ａの付近まで低下した時点から、排水口１４からの排水にともなう小タンク６０内の洗浄水の水位の低下速度が、小タンク６０外の洗浄水の水位の低下速度に対して急激に速くなる。
【００９４】
こうした小タンク６０内の洗浄水の排水口１４からの排水の過程において、大洗浄の場合と同様に、貯水筒４３内に保持されている洗浄水が、小孔４３ａ、４３ｂから小タンク６０内へと流出し、その小孔４３ａ、４３ｂからの洗浄水の流出量に応じて、貯水筒４３内の洗浄水の水位が所定の速度で低下する。
【００９５】
貯水筒４３内の水位の低下にともない、フロート５０が下降し、そのフロート５０の下降に連動して、オーバーフロー管４２および弁体４１が下降する。ここで、下降するオーバーフロー管４２および弁体４１は、係止部材４４を介してフロート５０に作用した状態でフロート５０の下降に追従する態様となり、フロート５０の下降速度と同じ速度で下降する。ここでの下降速度は、大洗浄の場合とほぼ同じである。したがって、貯水筒４３内の洗浄水の水位が低下し始めてから排水弁５１が閉弁に至るまでの時間は、大洗浄の場合と小洗浄の場合とでほぼ同じである。
【００９６】
そして、排水口１４からの洗浄水の排出が継続して所定時間経過後、貯水筒４３内の洗浄水の水位がフロート５０に浮力を与えない位置まで低下し、オーバーフロー管４２と一体的に下降する弁体４１により排水口１４が閉じられ、排水弁５１が閉弁状態となり（図３参照）、所定のタイミングで排水口１４からの排水が終了する。排水口１４からの洗浄水の排出が終了した後は、洗浄水供給装置２０による洗浄水タンク１２内への給水によって洗浄水タンク１２内の洗浄水の水位が満水時の水位に戻り、洗浄水タンク装置１は待機状態となる。
【００９７】
次に、洗浄水タンク装置１の洗浄動作として行われる３種類のモードの動作のうち、エコ小洗浄モードでの動作について説明する。
【００９８】
洗浄水タンク装置１の待機状態（満水状態）から、洗浄水タンク装置１による便器本体２の洗浄の開始時、エコ小洗浄に際しては、使用者等によって、操作部３９におけるエコ小洗浄用の操作ボタンの押圧操作が行われる。これにより、小洗浄の場合と同様に、回動伝達部材３２が第１の引上げ部材３３および第２の引上げ部材３４の両方を揺動させる方向に回動し、第１の引上げ部材３３の揺動にともない第１の玉鎖３５によってオーバーフロー管４２および弁体４１が引き上げられて排水口１４からの洗浄水の排水が開始されるとともに、第２の引上げ部材３４が揺動することによって第２の玉鎖３６が引き上げられる。これにより、小タンク６０の開口部６２に対して設けられる２重の弁体のうち外側の弁体である第２切替弁８０が引っ張られて開口部６２を閉じる方向に回動する。この第２切替弁８０の回動によって、第２切替弁８０の内側に位置する第１切替弁７０も第２切替弁８０に押されて回動する。ここで、第１切替弁７０および第２切替弁８０は、開口部６２を閉じる位置まで回動する（図７参照）。ただし、第１切替弁７０および第２切替弁８０は、開口部６２を閉じる位置よりも手前の、全開状態から所定角度回動した位置まで回動する構成であってもよい。
【００９９】
エコ小洗浄モードにおいては、モータ３８の制御により、揺動した状態の第１の引上げ部材３３および第２の引上げ部材３４が、所定時間（例えば約３秒）の間その位置で保持される。すなわち、本実施形態では、エコ小洗浄モードの場合、第１の引上げ部材３３の揺動にともない第１の玉鎖３５によってオーバーフロー管４２および弁体４１が引き上げられるとともに、第２の引上げ部材３４の揺動にともない第２の玉鎖３６が引き上げられ第１切替弁７０および第２切替弁８０が閉じた状態（図７参照）が、所定時間保持される。
【０１００】
なお、エコ小洗浄モードにおいて、第１切替弁７０および第２切替弁８０について、所定時間の間保持される回動位置が、開口部６２を閉じる位置よりも手前の所定角度回動した位置である場合は、第１切替弁７０は、小タンク６０内を流れる洗浄水の流速による負圧によって開口部６２側へ引き付けられ、上述したような小タンク６０の内外で生じる差圧によって開口部６２を閉じる位置に保持される。この場合、第２切替弁８０が所定時間の間保持される回動位置は、開口部６２を閉じた状態の第１切替弁７０に対して挿入突部８３を連通口７１ａに挿入させた状態となる位置に設定される。
【０１０１】
このように、エコ小洗浄モードでは、第１切替弁７０および第２切替弁８０が開口部６２を閉じた状態が、所定時間の間保持される。これにより、開口部６２において小タンク６０の内外を連通させる開口面積が小洗浄モードの場合よりもさらに減少し、開口部６２を介して小タンク６０の外側から内側に流れ込む洗浄水の流量がさらに減少する。
【０１０２】
一方、オーバーフロー管４２の引上げにより、オーバーフロー管４２の上昇にともなって、係止部材４４の係止片部４４ｂによってオーバーフロー管４２に作用していたフロート５０が浮力によって上昇する（図８参照）。オーバーフロー管４２および弁体４１の上昇にともなって排水口１４からの排水が開始された後、大洗浄の場合と同様に洗浄水タンク１２内の水位が低下する。すなわち、排水口１４からの洗浄水の排出にともなって洗浄水タンク１２内の洗浄水の水位が全体的に低下して、小タンク６０の上縁部６０ａの付近まで低下した時点から、排水口１４からの排水にともなう小タンク６０内の洗浄水の水位の低下速度が、小タンク６０外の洗浄水の水位の低下速度に対して急激に速くなる。
【０１０３】
貯水筒４３内の水位の低下にともない、フロート５０が下降する。ここで、エコ小洗浄モードでは、大洗浄モードおよび小洗浄モードの場合と異なり、オーバーフロー管４２および弁体４１が引き上げられた状態で所定時間の間保持されていることから、オーバーフロー管４２および弁体４１を残してフロート５０のみが下降する。
【０１０４】
そして、排水開始時から所定時間経過後、オーバーフロー管４２および弁体４１ならびに第２切替弁８０の保持状態が解除される。これにより、オーバーフロー管４２と一体的に下降する弁体４１により排水口１４が閉じられ、排水弁５１が閉弁状態となり（図３参照）、所定のタイミングで排水口１４からの排水が終了する。また、第２切替弁８０は自重によって初期位置に戻る。
【０１０５】
なお、保持状態が解除されることによるオーバーフロー管４２および弁体４１の下降動作については、モータ３８による保持状態の解除にともなう自由落下の他、モータ３８の駆動により下降速度が調整された下降動作であってもよい。また、オーバーフロー管４２および弁体４１ならびに第２切替弁８０の保持状態を解除するタイミングは、例えば、貯水筒４３内の洗浄水の水位がフロート５０に浮力を与えない位置まで低下した時点として設定される。
【０１０６】
排水口１４からの洗浄水の排出が終了した後は、洗浄水供給装置２０による洗浄水タンク１２内への給水によって洗浄水タンク１２内の洗浄水の水位が満水時の水位に戻り、洗浄水タンク装置１は待機状態となる。
【０１０７】
以上のような構成を備える本実施形態の洗浄水タンク装置１においては、洗浄水の排出量を安定させるため、排水弁装置４０に関して以下のような構成を備える。
【０１０８】
本実施形態に係る排水弁装置４０が備える第２切替弁８０の詳細について、図９から図１２を用いて説明する。図１１（ｂ）は、図１０（ａ）におけるＡ−Ａ断面図であり、図１１（ｃ）は、図１０（ａ）におけるＢ−Ｂ断面図である。
【０１０９】
図９から図１１に示すように、第２切替弁８０は、正面視（図１０（ａ）参照）において略矩形状の外形をなす基部８１と、小タンク６０に支持されるための一対の支持突片部８２と、第１切替弁７０側に突出形成され、第１切替弁７０の連通口７１ａに挿入される挿入突部８３とを有する。なお、第２切替弁８０の説明においては、基部８１に対して挿入突部８３が突出する側（図１１（ａ）において左側）を正面側または前側とし、その反対側（図１１（ａ）において右側）を背面側または後側とし、基部８１に対して支持突片部８２が設けられる側（図１０（ａ）において下側）を下側、基部８１において係止部８１ａが設けられる側（図１０（ａ）において上側）を上側とする。したがって、図１１（ａ）における左右方向が前後方向となり、図１０（ａ）における上下方向が上下方向なる。また、図１０（ａ）における左右方向を左右方向する。
【０１１０】
第２切替弁８０は、全体として左右方向に対称な形状を有する。第２切替弁８０は、基部８１を構成する部分として、挿入突部８３が形成される第１の面としての手前側面８４ａを有する手前側面部８４と、手前側面８４ａよりも小タンク６０に対して離れる位置に設けられた第２の面としての奥側面８５ａを有する奥側面部８５とを有する。手前側面８４ａおよび奥側面８５ａは、いずれも第２切替弁８０において前側を向く平面であって、互いに平行な面であり、奥側面８５ａの方が手前側面８４ａよりも後側に位置する。挿入突部８３は、手前側面８４ａを突出の基端面とし、手前側面８４ａから略垂直方向に突出している。
【０１１１】
図１１（ｃ）に示すように、第２切替弁８０の前後方向（図１１（ｃ）における上下方向）について、奥側面８５ａが、手前側面８４ａよりも所定の寸法Ｅ１だけ後側に位置する。第２切替弁８０においては、その前側が、第１切替弁７０に合わさる側となることから、第２切替弁８０の閉弁状態、つまり第１切替弁７０および第２切替弁８０の両方が小タンク６０の開口部６２を閉じた状態において、手前側面８４ａは、奥側面８５ａよりも小タンク６０側、つまり小タンク６０に対して内側に位置することになる。したがって、第１切替弁７０および第２切替弁８０の両方が開口部６２を閉じた状態において、奥側面８５ａは、手前側面８４ａよりも小タンク６０に対して離れた位置に位置することになる。
【０１１２】
手前側面部８４および奥側面部８５は、手前側面８４ａおよび奥側面８５ａに沿って互いに略平行な面部であって、いずれも、第２切替弁８０の正面視で、基部８１における上下方向の略全体にわたって上下方向を長手方向とする略矩形状をなす部分である。手前側面部８４は、左右方向について第２切替弁８０の中央部において第２切替弁８０全体の略１／３程度の幅寸法で設けられている。この手前側面部８４の左右両側かつ奥側において奥側面部８５が設けられている。つまり、第２切替弁８０の正面視において、手前側面部８４は、第２切替弁８０の基部８１を左右方向に略３等分したうちの中央の略１／３の部分を占め、奥側面部８５は、手前側面部８４の左右両側の略１／３の部分を占める。
【０１１３】
手前側面部８４と奥側面部８５は、それぞれに対して略垂直な段差面部８６を介して段差状に連続する。段差面部８６は、手前側面部８４の左右に設けられ、左右両外側を向く段差面８６ａを形成する部分である。つまり、左右の段差面部８６の段差面８６ａは、左右方向に互いに反対側を向き、右側の段差面部８６の段差面８６ａは右側を向き、左側の段差面部８６の段差面８６ａは左側を向く。したがって、手前側面部８４と奥側面部８５は、横断面視（上面断面視）において、左右の段差面部８６とともに、手前側面部８４を突出側の端面部とする凸形状をなす（図１１（ｃ）参照）。
【０１１４】
手前側面部８４において、手前側面８４ａは、他の部分に対して前側にわずかに突出した突条部８７の前側の面として形成されている。突条部８７は、正面視で上下方向を長手方向とする略矩形状の手前側面部８４において、左右方向の中央部にて上下方向の全体にわたって形成されている。突条部８７は、その略下半部を構成する部分であって挿入突部８３の突出範囲を含む幅広部８７ａと、幅広部８７ａよりも幅狭の直線状の部分であって突条部８７の略上半部を構成する幅狭部８７ｂとを有する。すなわち、手前側面８４ａは、突条部８７の幅広部８７ａの前面として形成された比較的幅広の部分と、突条部８７の幅狭部８７ｂの前面として形成された比較的幅狭の上下方向に沿う直線状の部分とを有する。なお、本実施形態の第２切替弁８０においては、手前側面部８４の下側に、基部８１の左右方向の中央部において下方に板状に突出形成されている下側突片部８１ｂが形成されている。下側突片部８１ｂは、手前側面８４ａと連続する平面を形成する。
【０１１５】
このような突条部８７を有する手前側面部８４においては、突条部８７が突出する面となる第２手前側面８４ｂが存在する。つまり、手前側面部８４における手前側面８４ａの左右両側の面が、第２手前側面８４ｂとなる。第２手前側面８４ｂは、手前側面８４ａと同様に手前側面部８４において形成された前側を向く平面であり、手前側面８４ａよりも奥側（後側）に位置する面となる。すなわち、本実施形態では、第２手前側面８４ｂは、奥側面８５ａと同様に、手前側面８４ａよりも小タンク６０に対して離れる位置に設けられた第２の面に相当する。第２手前側面８４ｂは、突条部８７の形状に対応して、幅広部８７ａの左右両側の部分となる比較的幅狭の下半部分と、幅狭部８７ｂの左右両側の部分となる比較的幅広の上半部分とを有する。本実施形態では、手前側面部８４において突条部８７により形成される手前側面８４ａの面積は、第２手前側面８４ｂの面積の略半分程度である。
【０１１６】
本実施形態の第２切替弁８０において、手前側面８４ａは、第２切替弁８０が第２の面として有する奥側面８５ａよりも面積が小さい。つまり、手前側面８４ａの面積は、左右両側の奥側面８５ａの合計の面積よりも小さい。具体的には、本実施形態の第２切替弁８０の場合、第２切替弁８０の正面視において手前側面部８４は全体の略１／３の部分を占め、左右の奥側面部８５は合わせて略２／３を占めることから、手前側面部８４は、左右の奥側面部８５の半分程度の面積部分である。また、手前側面部８４において、手前側面８４ａは、手前側面部８４において第２手前側面８４ｂを除いた略１／３程度の面積部分である。したがって、本実施形態の場合、手前側面８４ａの面積は、片側の奥側面８５ａよりも小さく、さらに、第２手前側面８４ｂよりも小さい。
【０１１７】
また、第２切替弁８０においては、上述したように第２の玉鎖３６の下端が連結される係止部８１ａが基部８１の手前側面部８４の背面側の上端部に設けられている。係止部８１ａは、手前側面部８４の後側の面である手前側背面８４ｃから後方に向けて下側を開放させた略箱状に突出する部分であり、第２の玉鎖３６を係止させるためのスリット８１ｃを形成する。スリット８１ｃは、第２の玉鎖３６の玉の外径よりも幅狭であって、箱状の係止部８１ａにおいてその背面側から上面側の壁部分を左右方向の二つに分割させる。このような係止部８１ａに対して、第２の玉鎖３６が、その紐部分によってスリット８１ｃを介して下端部の玉を箱状の係止部８１ａ内に位置させることで、係止部８１ａ内に玉を引っ掛けた態様で係止される。
【０１１８】
また、第２切替弁８０において、その周囲には、奥側面８５ａから第１切替弁７０側、つまり前側に立つ壁部８８が設けられている。具体的には、壁部８８は、基部８１の上辺部に沿う上壁部８８ａと、基部８１の左右両側の辺部に沿う側壁部８８ｂと、基部８１の下辺部に沿う下壁部８８ｃとを有する。これらの上壁部８８ａ、側壁部８８ｂ、および下壁部８８ｃは、左右の各奥側面部８５を上側、下側、および左右外側の３方側から囲むように連続的な壁面をなす。壁部８８は、全体的にその突出方向の端面、つまり前側の端面の前後方向の位置を上壁部８８ａ、側壁部８８ｂ、および下壁部８８ｃの各部で共通とし、その前側の端面の前後方向の位置は、手前側面部８４と略同じ位置となる。つまり、壁部８８の前側の端面と手前側面部８４とは略同一面上に位置する。
【０１１９】
また、壁部８８を構成する下壁部８８ｃは、後側から前側にかけて下る傾斜状に形成されている。この下壁部８８ｃの傾斜方向に沿って、支持突片部８２が延出されている。左右の支持突片部８２は、基部８１に対して、左右外側の側壁部８８ｂと連続する互いに平行な板状の突片部分として設けられている。支持突片部８２の先端部に、支持孔部８２ａが設けられている。
【０１２０】
このように奥側面部８５の周囲を囲むように設けられた壁部８８を有する構成においては、左右両側の側壁部８８ｂの内側面８８ｄと、段差面部８６の段差面８６ａとが左右方向に互いに対向する。また、上壁部８８ａの内側面８８ｅと、下壁部８８ｃの内側面８８ｆとが上下方向に互いに略対向する。したがって、手前側面部８４の左右両側において、奥側面部８５と段差面部８６と壁部８８とによって凹状部８９が形成される。すなわち、この凹状部８９は、手前側面部８４の左右両側において、奥側面８５ａを底面とし、上壁部８８ａ、側壁部８８ｂ、および下壁部８８ｃそれぞれの内側面８８ｅ，８８ｄ，８８ｆを周壁面とし、前側を開放側とする略箱状の空間を形成する。
【０１２１】
また、第２切替弁８０においては、左右の奥側面部８５の背面側に、後側に突出して錘９２を支持する部分となる突出支持部９０が設けられている。突出支持部９０は、奥側面部８５の後側の面である奥側背面８５ｃから上下方向を長手方向とする略矩形状に突出する箱状の突起部分であり、左右両側の奥側面部８５において、奥側背面８５ｃの上部であって左右方向の内側寄り部分に設けられている。
【０１２２】
突出支持部９０は、奥側背面８５ｃから背の低い四角柱状に突出した部分である。突出支持部９０の上面は、壁部８８の上壁部８８ａの外側（上側）の面と連続する（面一の）面であり、上壁部８８ａの外側の面とともに第２切替弁８０の上面を形成する。また、突出支持部９０の左右方向の内側の面は、段差面部８６の段差面８６ａの反対側の面である裏側段差面８６ｂと連続する（面一の）面である。左右方向に互いに対向する裏側段差面８６ｂ間に、第２の玉鎖３６の下端が連結される係止部８１ａが位置する。
【０１２３】
このように奥側面部８５の背面側に突出形成された突出支持部９０は、その突出形状にならって凹状部８９に連続する凹状部８９ａを形成する。凹状部８９ａは、奥側面部８５の前側において前側開放の空間を形成する凹状部８９において、その底面となる奥側面８５ａの上側かつ左右方向の内側の角部分に、前側を開放側として箱状に凹む空間を形成する。
【０１２４】
このように背面側において左右両側に突出支持部９０を有する第２切替弁８０は、その左右の突出支持部９０により、錘９２を支持する（図１２参照）。具体的には、矩形板状の錘９２が、その長手方向を左右方向に沿わせるとともに、板面を突出支持部９０の突出方向の端面となる突出側端面９０ａに沿わせた状態で、左右の突出支持部９０間に架設された態様で支持される。つまり、錘９２は、その長手方向の両側の端部を、左右の突出支持部９０の突出側端面９０ａに沿わせた状態で支持される。
【０１２５】
第２切替弁８０は、錘９２を位置決め支持する部分として、各突出支持部９０の突出側端面９０ａ側に設けられた嵌合支持部９０ｂおよび係止片部９０ｃを有する。嵌合支持部９０ｂは、錘９２の板厚に対応して突出側端面９０ａとともに錘９２の下側の角部分が嵌り込む空間を形成する。嵌合支持部９０ｂは、錘９２の下側の角部分の直角形状に沿って背面視で略Ｌ字状をなし、錘９２の下側の左右の角部分を外側から直角状に覆った状態で、錘９２を支持する。
【０１２６】
係止片部９０ｃは、錘９２の短手方向の寸法に対応して、嵌合支持部９０ｂに支持された状態の錘９２の上側に位置するように設けられる。係止片部９０ｃは、左右の突出支持部９０の突出側端面９０ａ側の上部が、左右方向の外側が突出支持部９０の本体部分に繋がるとともに左右方向の内側が自由端となるように、左右方向を長手方向として矩形板状に切り出された態様で設けられた片部である。言い換えると、係止片部９０ｃは、第２切替弁８０の上面視および背面視で左右方向の内側を開放側とする細長の切欠部状（スリット状）に表れる横断面略Ｌ字状の空間を介して設けられた矩形板状の片部である。係止片部９０ｃは、その矩形板状の外形における板面を前後に向ける。左右の突出支持部９０に設けられた一対の係止片部９０ｃは、その先端側を互いに対向させる。係止片部９０ｃの後面は、突出側端面９０ａと連続し（面一であり）、係止片部９０ｃの上面は、突出支持部９０の上面と連続する（面一である）。
【０１２７】
係止片部９０ｃの先端部、つまり左右方向の内側の端部には、係止突部９０ｄが設けられている。つまり、係止突部９０ｄは、突出側端面９０ａにおいて左右方向の内側かつ上側の角部分に設けられている。係止突部９０ｄは、係止片部９０ｃの後面から側面視で略直角三角状に突出する突起部分であり、下側の面を略水平面とし、前側から後側にかけて下る斜面を有する。係止突部９０ｄは、嵌合支持部９０ｂに支持された状態の錘９２の上方において錘９２に対してわずかに間隔を隔てる位置にて、錘９２の上端面９２ａに下面を対向させるように設けられる。
【０１２８】
このような嵌合支持部９０ｂおよび係止片部９０ｃを有する第２切替弁８０に対して、錘９２は、次のようにして取り付けられる。錘９２は、短手方向を上下方向として左右の嵌合支持部９０ｂに対して上側から差し込む態様で嵌め込まれる。ここで、錘９２は、前側の板面に左右の係止突部９０ｄを接触させて左右の係止片部９０ｃに干渉する。係止突部９０ｄを介して錘９２の干渉を受けた係止片部９０ｃは、係止突部９０ｄの斜面にならって先端側（係止突部９０ｄ側）が前側に押されるように弾性変形し、錘９２の嵌合支持部９０ｂに対する嵌合を許容する。つまり、錘９２は、左右の嵌合支持部９０ｂに差し込まれる過程で、弾性変形した状態の係止片部９０ｃにより係止突部９０ｄを介して後側に押された状態となる。そして、錘９２が嵌合支持部９０ｂに差し込まれ、錘９２が係止片部９０ｃを越えて上端面９２ａが係止片部９０ｃの下側に達することで、弾性変形した状態の係止片部９０ｃが自然状態に戻る。これにより、係止片部９０ｃは、その係止突部９０ｄの下面を錘９２の上端面９２ａに対向させた状態となる。
【０１２９】
このようにして第２切替弁８０の背面側に取り付けられた錘９２は、下側の部分が嵌合支持部９０ｂに差し込まれて支持されるとともに、係止片部９０ｃの係止突部９０ｄによって上側への移動が規制された状態となる。
【０１３０】
以上のように、第２切替弁８０の第１切替弁７０側と反対側となる外側、つまり背面側には、第２切替弁８０を自重により動作させて開弁状態とするための錘９２が取り付けられている。そして、上述したような第２切替弁８０における錘９２の支持構造によれば、錘９２は、奥側面８５ａよりも小タンク６０に対して外側に離れる位置に設けられていることになる。このことは、本実施形態の場合、錘９２が取り付けられる面（錘９２を支持する面）、つまり板状の錘９２がその板面を沿わせる面が、第２切替弁８０において奥側面８５ａよりも後側に位置することに相当する。
【０１３１】
具体的には、第２切替弁８０において、錘９２が取り付けられる面は、突出側端面９０ａとなる。突出側端面９０ａは、奥側面８５ａの裏側の奥側背面８５ｃから後側に突出する突出支持部９０の突出側の端面である。したがって、図１１（ｂ）に示すように、錘９２が取り付けられる突出側端面９０ａは、前後方向について、奥側面８５ａに対して、前側の面を奥側面８５ａとする板状部分の板厚の寸法Ｆ１と、奥側背面８５ｃからの突出支持部９０の後方への突出長さＦ２との合計寸法Ｆ３分、後側、つまり小タンク６０に対して外側に離れる位置に設けられている。なお、突出支持部９０の突出長さＦ２は、例えば、前側の面を奥側面８５ａとする板状部分の板厚の寸法Ｆ１の４〜７倍程度である。
【０１３２】
次に、本実施形態に係る排水弁装置４０が備える第１切替弁７０の詳細について、図１３から図１５を用いて説明する。図１５（ｂ）は、図１４（ａ）におけるＣ−Ｃ断面図であり、図１５（ｃ）は、図１４（ａ）におけるＤ−Ｄ断面図である。
【０１３３】
図１３および図１５に示すように、第１切替弁７０は、略矩形板状の基部７１と、小タンク６０に支持されるための一対の支持突片部７２とを有する。なお、第１切替弁７０の説明においては、第２切替弁８０が重なる側（図１５（ａ）において右側）を背面側または後側とし、その反対側（図１５（ａ）において左側）を正面側または前側とし、基部７１に対して支持突片部７２が設けられる側（図１４（ａ）において下側）を下側、その反対側を上側とする。したがって、図１５（ａ）における左右方向が前後方向となり、図１４（ａ）における上下方向が上下方向なる。また、図１４（ａ）における左右方向を左右方向する。
【０１３４】
第１切替弁７０は、全体として左右方向に対称な形状を有する。矩形板状の基部７１は、詳細には、下側から上側にかけてわずかに徐々に幅狭となる略台形状をなす。左右方向の中央部における下側寄りの位置に、第２切替弁８０の挿入突部８３を挿通させる連通口７１ａが形成されている。連通口７１ａは、板状の基部７１を貫通する孔であり、上下方向を長手方向とする長穴形状（略小判形形状）を有する。
【０１３５】
基部７１の下端部の左右両端から、斜め下前方に向けて一対の支持突片部７２が延出している。一対の支持突片部７２は、基部７１に対して、左右両側の端面（側面）と連続する互いに平行な板状の突片部分として設けられている。支持突片部７２の先端部に、軸支部７２ａが設けられている。軸支部７２ａは、支持突片部７２における左右方向の外側の面から中心軸方向を左右方向とする円筒状に突出した突起部分である。
【０１３６】
基部７１の背面側には、小突起７１ｄが設けられている。小突起７１ｄは、基部７１の後面７１ｃからわずかに突出する突起部分であり、連通口７１ａよりも上側の部分において左右方向の中央の位置の１箇所に設けられている。小突起７１ｄは、第１切替弁７０と第２切替弁８０が互いに重なった状態、つまり互いの最近接状態において、第２切替弁８０の手前側面８４ａに当接し、第１切替弁７０の後面７１ｃと第２切替弁８０の手前側面８４ａとの間にわずかな隙間を形成する。つまり、第１切替弁７０は、第２切替弁８０に対して小突起７１ｄによって点接触した状態となり、小突起７１ｄが存在する分、基部７１を第２切替弁８０の基部８１に対してわずかに離間させた状態となる（図３参照）。
【０１３７】
第１切替弁７０は、基部７１の正面側の板面部である前面部７１ｂに、錘９１を支持する。具体的には、矩形板状の錘９１が、その長手方向を左右方向に沿わせるとともに、板面を基部７１の前面部７１ｂに沿わせた状態で支持される。錘９１は、連通口７１ａよりも上方の位置で支持される。
【０１３８】
第１切替弁７０は、錘９１を位置決め支持する部分として、基部７１において連通口７１ａよりも上側の部分に、前面部７１ｂに突設された支持突片部７３、係止突片部７４、および挿入突部７５を有する。支持突片部７３は、前面部７１ｂから略垂直に突出する略四角柱状の突起部であり、上側の面を錘９１を支持する支持面７３ａとする。支持突片部７３は、左右両側の２箇所に設けられ、錘９１の下端面に支持面７３ａを接触させた状態で、錘９１を下側から支持する。
【０１３９】
係止突片部７４は、前面部７１ｂから略垂直に突出する矩形板状の突起部であり、前面部７１ｂに対向する係止面７４ａを形成する。係止突片部７４は、係止面７４ａを錘９１の前側の板面に対向させた状態で錘９１を基部７１に係止させる。係止突片部７４は、左右両側の２箇所に設けられ、支持突片部７３上に支持された状態の錘９１を左右両側から挟み込む態様で錘９１を係止する。係止突片部７４は、係止面７４ａを形成する部分として、上面視で略直角三角形状をなす係止部７４ｂを有する。係止部７４ｂは、略直角三角形状である上面視形状における斜辺に対応する面として、左右方向の外側から内側にかけて前側から後側に下る斜面を有する。左右の係止突片部７４は、係止部７４ｂの斜面側を互いに対向させるように設けられる。
【０１４０】
挿入突部７５は、前面部７１ｂから略垂直に突出する突起部であり、錘９１の中央部に設けられた孔９１ａに挿入される。つまり、挿入突部７５は、支持突片部７３上に支持された状態の錘９１の中央部の孔９１ａに対応する位置に設けられている。
【０１４１】
このような支持突片部７３、係止突片部７４、および挿入突部７５を有する第１切替弁７０に対して、錘９１は、次のようにして取り付けられる。錘９１は、短手方向を上下方向として左右の支持突片部７３上に載せられることで、基部７１側の左右の角部分を係止突片部７４の係止部７４ｂの斜面に接触させた状態となる。かかる状態から、錘９１を前面部７１ｂ側に押し付けることで、係止突片部７４は、係止部７４ｂの斜面にならって先端側が左右に広がるように弾性変形し、錘９１が係止部７４ｂによって係止された状態となること、つまり板面を前面部７１ｂに沿わせた状態となることを許容する。錘９１が係止された状態となることで、中央の挿入突部７５は、錘９１の孔９１ａに挿入された状態となる。
【０１４２】
このようにして第１切替弁７０の正面側に取り付けられた錘９１は、支持突片部７３によって下側から支持され、係止突片部７４によって基部７１に対して係止されるとともに、挿入突部７５を貫通させた状態となる。
【０１４３】
以上のように、本実施形態の第１切替弁７０は、第１切替弁７０の第２切替弁８０側と反対側となる正面側、つまり内側に、複数の突起部として、前面部７１ｂに突出形成された支持突片部７３、係止突片部７４、および挿入突部７５を有する。これらの突起部は、第１切替弁７０に錘９１が取り付けられた状態において、錘９１の前側の板面よりも突出した状態となる。つまり、これらの突起部の前面部７１ｂからの突出寸法は、錘９１の板厚よりも十分に長い（例えば約２倍）。そして、これらの突起部は、後述するように、小タンク６０の開口部６２から小タンク６０内に流入する洗浄水に乱流を生じさせる乱流形成部として機能する。
【０１４４】
以上のような第１切替弁７０および第２切替弁８０は、相対的な大きさについて、第２切替弁８０が、第１切替弁７０よりも縦方向の寸法および横方向の寸法が長く構成されている。つまり、第２切替弁８０の上下方向の寸法は、第１切替弁７０の上下方向の寸法よりも長く、第２切替弁８０の左右方向の寸法は、第１切替弁７０の左右方向の寸法よりも長い。
【０１４５】
第１切替弁７０および第２切替弁８０は、それぞれの基部７１，８１において、互いに重なる方向視、つまり正面視において略矩形状をなす。第１切替弁７０および第２切替弁８０は、第２切替弁８０の挿入突部８３が第１切替弁７０の連通口７１ａに挿通され、第１切替弁７０の小突起７１ｄが第２切替弁８０の手前側面８４ａに接触した状態を、互いに重なった状態とする（図３参照）。第１切替弁７０および第２切替弁８０は、互いに重なった状態において、左右方向については互いの中心を一致させ、上下方向については互いの中心を略一致させる。なお、２つの切替弁が互いに重なった状態において、第１切替弁７０の支持突片部７２の軸支部７２ａは、第２切替弁８０の支持突片部８２の支持孔部８２ａに対して左右方向の内側から嵌合した状態となる。
【０１４６】
そして、２つの切替弁が互いに重なった状態においては、正面視で、第２切替弁８０の基部８１の外形の範囲内に、第１切替弁７０の基部７１が含まれる。つまり、第１切替弁７０および第２切替弁８０は、互いに重なった状態で、第２切替弁８０の基部８１の上下方向および左右方向の外形寸法の範囲内に、第１切替弁７０の基部７１が収まるように構成されている。
【０１４７】
具体的には、図１６に示すように、縦方向となる上下方向については、第２切替弁８０における上面となる壁部８８の上壁部８８ａの外側面と、基部８１の左右方向の中央部において下方に突出形成されている下側突片部８１ｂの下端との間の寸法Ｇ１の方が、第１切替弁７０の略矩形板状の基部７１の上端面と下端面との間の寸法Ｇ２よりも長い。そして、２つの切替弁が互いに重なった状態で、第２切替弁８０の外形の上下方向の寸法Ｇ１を規定する範囲内に、第１切替弁７０の外形の上下方向の寸法Ｇ２が収まっている。すなわち、２つの切替弁が互いに重なった状態において、上側については、第１切替弁７０の基部７１の上端面と第２切替弁８０の上面との間の上下方向の寸法Ｇ３分だけ、第２切替弁８０が第１切替弁７０から上側にはみ出しており、下側については、第１切替弁７０の下端面と第２切替弁８０の下側突片部８１ｂの下端との間の上下方向の寸法Ｇ４分だけ、第２切替弁８０が第１切替弁７０から下側にはみ出している。
【０１４８】
また、横方向となる左右方向については、第２切替弁８０における左右の側壁部８８ｂの外側面間の寸法Ｈ１の方が、第１切替弁７０の基部７１における左右外側の端面間の寸法Ｈ２よりも長い。そして、２つの切替弁が互いに重なった状態で、第２切替弁８０の外形の左右方向の寸法Ｈ１を規定する範囲内に、第１切替弁７０の外形の左右方向の寸法Ｈ２が収まっている。すなわち、２つの切替弁が互いに重なった状態において、左右両側で、第１切替弁７０の基部７１の左右外側の端面と第２切替弁８０の側壁部８８ｂの外側面との間の左右方向の寸法Ｈ３分だけ、第２切替弁８０が第１切替弁７０から左右外側にはみ出している。
【０１４９】
このように第１切替弁７０および第２切替弁８０が互いに重なった状態で第１切替弁７０が第２切替弁８０の外形寸法の範囲内に収まる構成において、２つの切替弁が互いに重なった状態において、正面視で、第２切替弁８０の壁部８８によって第１切替弁７０の基部７１の周囲が囲まれた状態となる。すなわち、図１６に示すように、２つの切替弁が互いに重なった状態の正面視で、壁部８８の上壁部８８ａおよび左右の側壁部８８ｂによって、第１切替弁７０の基部７１が、その上側および左右両側の３方側から囲まれた態様となる。言い換えると、２つの切替弁が互いに重なった状態の正面視で、第２切替弁８０の壁部８８の上壁部８８ａおよび左右の側壁部８８ｂは、第１切替弁７０の基部７１略矩形状の外形に沿って基部７１の外側に位置することになる。
【０１５０】
また、本実施形態の排水弁装置４０においては、小タンク６０の側面部６１に設けられて第１切替弁７０および第２切替弁８０によって開閉される開口部６２について、その高さ位置が工夫されている。本実施形態の排水弁装置４０においては、開口部６２は、小タンク６０の鉛直方向（上下方向）の中央位置より上側に設けられている。
【０１５１】
具体的には、図４に示すように、小タンク６０において側面部６１に設けられる開口部６２は、その開口の下端の位置を、小タンク６０の全体の高さの半分の位置（直線Ｊ１参照）、つまり小タンク６０の鉛直方向の中央位置よりも上側に位置させるように設けられる。本実施形態では、上下方向の開口寸法について小タンク６０の約１／４の寸法を有する開口部６２が、小タンク６０の鉛直方向の中央位置よりも上側半分の部分における略中央部に設けられている。なお、開口部６２の開口幅方向については、開口部６２は、側面部６１の幅方向に対して側面部６１の幅方向の両端部以外の大部分を占めるように設けられている。
【０１５２】
以上のような構成を備える本実施形態の排水弁装置４０によって得られる作用・効果について説明する。
【０１５３】
まず、本実施形態に係る排水弁装置４０においては、第２切替弁８０が、挿入突部８３が突出形成される手前側面８４ａと、手前側面８４ａよりも小タンク６０に対して外側に離れる位置に設けられた奥側面８５ａおよび第２手前側面８４ｂを有する。このような構成によれば、洗浄水の排出量を切り替えるための構成として、排水口１４を囲むように設けられた小タンク６０の側面部６１に形成された開口部６２を小タンク６０の外側から開閉する第１切替弁７０および第２切替弁８０を備える構成において、第２切替弁８０の動作を安定させることができ、洗浄水の排出量を安定させることができる。
【０１５４】
上述した小洗浄モードおよびエコ小洗浄モードのように、第１切替弁７０および第２切替弁８０の両方の切替弁が一旦閉じられる洗浄モードにおいては、閉じた状態の第１切替弁から第２切替弁８０が離れにくくなり、第２切替弁８０が閉じた状態が必要以上に維持されるという現象が生じる可能性がある。このことは、小タンク６０内の水が無くなり、小タンク６０に対して開口部６２からの洗浄水の流入のみになることにより、小タンク６０の内外の圧力差が大きくなり、第２切替弁８０が小タンク６０の外側にある洗浄水から水圧によって閉じる側へ押し付けられることに起因する（図７、矢印Ｋ１参照）。第２切替弁８０の開くタイミングが遅れると、排水口１４からの洗浄水の排出量が減少し、小洗浄モードおよびエコ小洗浄モードにおいて便器本体２に対して十分な量の洗浄水が供給できなくなる。
【０１５５】
本実施形態に係る排水弁装置４０は、小タンク６０の内外の圧力差が大きくなる原因として、第１切替弁７０と第２切替弁８０との間の隙間が狭いことに着目したものである。すなわち、第１切替弁７０と第２切替弁８０との間の隙間が狭いと、この隙間における洗浄水の流速が速くなり、そのため、閉じた状態の第２切替弁８０の内外の圧力差が生じ、閉じた状態の第１切替弁７０に第２切替弁８０が押し付けられる結果となる（図７、矢印Ｋ１参照）。
【０１５６】
そこで、本実施形態に係る排水弁装置４０は、第１切替弁７０と第２切替弁８０との間の隙間を広くするため、第２切替弁８０において、手前側面８４ａと、手前側面８４ａよりも小タンク６０に対して外側に離れる位置に設けられた奥側面８５ａおよび第２手前側面８４ｂとを有する。このような構成により、第２切替弁８０において第１切替弁７０との間の隙間を狭くする部分を減らすことができ、第１切替弁７０と第２切替弁８０との間の間隔を広くすることができる。
【０１５７】
具体的には、第１切替弁７０と第２切替弁８０との間の隙間としては、狭い方から順に、左右方向の中央部分において小突起７１ｄを介する第１切替弁７０の後面７１ｃと第２切替弁８０の手前側面８４ａとの間の隙間と、その左右両側における第１切替弁７０の後面７１ｃと第２切替弁８０の第２手前側面８４ｂとの間の隙間と、その左右外側における第１切替弁７０の後面７１ｃと第２切替弁８０の奥側面８５ａとの間の隙間とが存在する。特に、第１切替弁７０の後面７１ｃと第２切替弁８０の左右両側の奥側面８５ａとの間の隙間は、奥側面８５ａを底面とする箱状の空間を形成する凹状部８９が存在することにより、第１切替弁７０の後面７１ｃと第２切替弁８０の手前側面部８４との間の隙間と比べて大幅に広い。
【０１５８】
このように第２切替弁８０が、第１切替弁７０側を向く面として、挿入突部８３を突出させる手前側面８４ａと、これよりも小タンク６０に対して外側に離れる第２手前側面８４ｂおよび奥側面８５ａを有することで、第１切替弁７０と第２切替弁８０との間の間隔を広くすることができ、第１切替弁７０と第２切替弁８０との間の隙間における洗浄水の水流の流速を遅くすることができる。このため、閉じた状態の第２切替弁８０の内側と外側の圧力差を小さくすることができ、第２切替弁８０が開かずに閉じた状態が必要以上に維持されるという現象を防止することが可能となる。これにより、第２切替弁８０の動作を安定させることができ、第２切替弁８０の開弁タイミングの遅れに起因する洗浄水の排出量の減少を抑制することができ、小洗浄モードおよびエコ小洗浄モードにおいて便器本体２に対して十分な量の洗浄水が供給できなくなるといった不具合を解消することができる。結果として、洗浄水の排出先である便器本体２側の圧力損失（先抵抗）の大きさにかかわらず、第２切替弁８０の動作を安定させて洗浄水の排出量を安定することができるので、排水弁装置４０を備えた洗浄水タンク装置１により様々な種類の便器に対応することが可能となり、高い汎用性を得ることができる。
【０１５９】
このような作用・効果に関し、例えば、第２切替弁８０において第１切替弁７０の後面７１ｃに対向する面が前後方向について全体的に手前側面部８４と同じ位置の面により形成された構成を比較例とした場合、本実施形態に係る排水弁装置４０によれば、比較例の構成との対比において、第１切替弁７０の後面７１ｃに対する近接面積を略半分に低減することが可能となる。ここで、近接面積とは、本実施形態の場合、第１切替弁７０と第２切替弁８０とが互いに重なった状態において第２切替弁８０の内側（正面側）の面部のうち第１切替弁７０の後面７１ｃに対して相対的に近接する面部である手前側面部８４の面積に相当する。
【０１６０】
そして、上記の比較例の構成との関係では、本実施形態に係る排水弁装置４０によれば、第１切替弁７０および第２切替弁８０の両方が閉じた状態であって、小タンク６０の外側に相当する第２切替弁８０の背面側を水頭圧力とし、小タンク６０の内側に相当する第１切替弁７０の正面側を大気開放とした解析条件による流体解析において、第２切替弁８０が内側（正面側）から受ける力（負圧）が略半分に減少するという解析結果が得られている。このことは、第２切替弁８０がその内側（正面側）において力（負圧）を受ける面の面積、つまり第１切替弁７０の後面７１ｃに対する近接面積が半減することに起因する。
【０１６１】
また、本実施形態に係る排水弁装置４０においては、手前側面８４ａは、第２切替弁８０が第２の面として有する奥側面８５ａよりも面積が小さくなっている。このような構成によれば、第１切替弁７０と第２切替弁８０の間を流れる洗浄水の流速が速くなる箇所の面積を小さくすることが可能となる。
【０１６２】
すなわち、第１切替弁７０と第２切替弁８０の間において流速が速くなる箇所は、第１切替弁７０に対する近接面となる手前側面部８４、特に手前側面８４ａの部分であることから、奥側面８５ａが手前側面８４ａよりも広い面積を有することで、２つの切替弁間の隙間を流れる洗浄水の流速が速くなる箇所の面積を小さくすることができる。これにより、閉じた状態の第２切替弁８０の内側と外側の圧力差を効果的に小さくすることができ、第２切替弁８０が開かずに閉じた状態が必要以上に維持されるという現象を防止することが可能となり、第２切替弁８０の動作の安定化を図ることができ、これにともなって排水量の安定化を図ることができる。
【０１６３】
また、本実施形態に係る排水弁装置４０においては、第２切替弁８０が、第１切替弁７０よりも縦方向の寸法および横方向の寸法が長く構成され、しかも第２切替弁８０の周囲には、奥側面８５ａから第１切替弁７０側に立つ壁部８８が設けられている。このような構成によれば、第１切替弁７０と第２切替弁８０が開放された状態で洗浄水の排出が行われる洗浄モード（大洗浄モード）において、小タンク６０の外部から開口部６２を介して小タンク６０の内部へと流れ込む水流が第１切替弁７０と第２切替弁８０との間に入り込んで第１切替弁７０が煽られて閉じてしまうことを防ぐことができる。
【０１６４】
第１切替弁７０および第２切替弁８０の両方が開いた状態では、錘９１，９２による自重によって第１切替弁７０および第２切替弁８０は互いに重なった状態となる（図３参照）。そして、２つの切替弁が互いに重なった状態においては、第２切替弁８０の外形寸法の範囲内に第１切替弁７０が位置するとともに、第１切替弁７０の周囲が壁部８８によって囲まれることになる。したがって、第１切替弁７０と第２切替弁８０との間の隙間の周囲に壁部８８が存在することとなり、壁部８８によって第１切替弁７０と第２切替弁８０との間の隙間に水が流れ込むことを抑制することができる。これにより、上記のとおり第１切替弁７０が煽られて閉じることが防止される。
【０１６５】
このように、本実施形態の排水弁装置４０によれば、第１切替弁７０と第２切替弁８０との間の隙間が広いことから、小洗浄モードおよびエコ小洗浄モードにおいて、第２切替弁８０が閉じたままとなる現象が防止され、十分な量の洗浄水を供給することができるとともに、大洗浄モードにおいて、第１切替弁７０が煽られて閉じる現象が防止され、所定の洗浄水量を確保することができる。すなわち、本実施形態の排水弁装置４０によれば、大洗浄モード、小洗浄モード、およびエコ小洗浄モードの各洗浄モードにおいて、第１切替弁７０および第２切替弁８０の動作を安定させることができ、洗浄モードに応じた適性な洗浄水量を得ることができる。
【０１６６】
また、本実施形態に係る排水弁装置４０においては、第２切替弁８０の外側に取り付けられる錘９２が、奥側面８５ａよりも小タンク６０に対して外側に離れる位置に設けられている。このような構成によれば、錘９２によって第２切替弁８０の開く方向に働くモーメントを大きくすることができる。これにより、第１切替弁７０および第２切替弁８０の両方の切替弁が一旦閉じられてその後、第２切替弁８０のみが開く洗浄モード（小洗浄モードおよびエコ小洗浄モード）において、上述したような第２切替弁８０が閉じた状態が必要以上に維持されるという現象を防止することが可能となる。
【０１６７】
図１１（ａ）に示すように、本実施形態に係る第２切替弁８０の錘９２の取付け構造によれば、前後方向について、第２切替弁８０の回動中心の位置Ｌ１と、錘９２の取付け面となる突出支持部９０の突出側端面９０ａの位置Ｌ２との間の寸法Ｌ３を、従来と比べて格段に大きくすることができる。これにより、錘９２によって第２切替弁８０の開く方向に働くモーメントが大きくなり、第２切替弁８０を確実に開くことができ、第２切替弁８０の開弁動作を安定させることができる。
【０１６８】
また、錘９２によって第２切替弁８０の開く方向に働くモーメントを大きくすることができるので、例えば従来よりも軽い錘によって、第２切替弁８０を開く方向に回動するための力を確保することが可能となる。これにより、錘を軽くすることができ、その分、コストを削減することができるというメリットも得られる。
【０１６９】
また、本実施形態に係る排水弁装置４０においては、第１切替弁７０の内側に、開口部６２から小タンク６０内に流入する洗浄水に乱流を生じさせる乱流形成部として、支持突片部７３、係止突片部７４、および挿入突部７５が設けられている。このような構成によれば、第１切替弁７０と第２切替弁８０が開放された状態で洗浄水の排出が行われる洗浄モード（大洗浄モード）において、小タンク６０の外部から開口部６２を介して小タンク６０の内部へと流れ込む洗浄水の水流について、第１切替弁７０の内側面（前側面）上を流れる水流を乱すことができる。
【０１７０】
具体的には、第１切替弁７０に設けられた支持突片部７３、係止突片部７４、および挿入突部７５の各突起部は、いずれも第１切替弁７０に取り付けられた錘９１よりも内側（前側）に突出する（図１５（ｃ）参照。）。したがって、図３に示すように、第１切替弁７０と第２切替弁８０の両方が開いた状態においては、第１切替弁７０において内側に突出する突起部が、開口部６２を介して小タンク６０の外部から内部へと流れ込む洗浄水の水流（図３、矢印Ｍ１参照）に作用して乱流を生じさせる。すなわち、第１切替弁７０において内側に突出する複数の突起部が、開口部６２から小タンク６０内に流れ込む水流のうち第１切替弁７０の内側面に沿う部分に作用して流を乱す。
【０１７１】
これにより、第１切替弁７０の内側面上を流れる水流の流速が遅くなるため、第１切替弁７０の内側の圧力の低下が抑制され、第１切替弁７０の内側と外側の圧力差によって第１切替弁７０が閉じてしまうことを防ぐことができる。結果として、大洗浄モードにおいて、第１切替弁７０が煽られて閉じる現象が防止され、所定の洗浄水量を確保することができる。
【０１７２】
なお、本実施形態では、乱流形成部として、複数の突起部である支持突片部７３、係止突片部７４、および挿入突部７５が設けられているが、乱流形成部はこれらの形状部分に限定されるものではない。第１切替弁７０に設けられる乱流形成部としては、複数の突起部に限らず、一つの突起部であってもよく、また、突起部に限らず、開口部６２から小タンク６０内に流入する洗浄水に作用して乱流を生じさせる形状部分であれば、様々な凹凸形状部分を採用することができる。また、乱流形成部としては、第１切替弁７０において錘９１を支持するための部分以外に別途設けられた部分であってもよい。
【０１７３】
ただし、第１切替弁７０に設けられる乱流形成部としては、本実施形態のように、複数の突起部であることにより、開口部６２を介して小タンク６０の内部へと流れ込む洗浄水の水流について、広範囲に乱流を生じさせることができる。また、本実施形態のように、乱流形成部が、錘９１を支持するための部分であることにより、第１切替弁７０が開いた状態で開口部６２から小タンク６０内に流入する洗浄水の流れに乱流を形成するための部分と、錘９１を支持するための部分とを兼用することができ、第１切替弁７０の形状が複雑になることを防止することができる。
【０１７４】
また、本実施形態に係る排水弁装置４０においては、小タンク６０において、２つの切替弁により開閉される開口部６２は、小タンク６０の鉛直方向の中央位置より上側に設けられている。このような構成によれば、開口部６２が開放された状態で洗浄水の排出が行われる大洗浄モードにおいて、排水弁５１の閉弁後における小タンク６０の外側の最終的な水位ＤＷＬ（図２参照）を、開口部６２の開口の下端位置とすることができる。これにより、大洗浄モードにおいて洗浄水の排出量のばらつきを抑制することができる。このことについて具体的に説明する。
【０１７５】
洗浄水タンク１２内の水位が小タンク６０の上縁部６０ａの付近まで低下した時点からの洗浄水の排出について、排水口１４に連通する便器本体２側の導水路５等の流路における圧損による抵抗により、排水口１４から排出される洗浄水の時間当たりの排出量が変わる。このため、例えば仮に開口部６２が小タンク６０の下端部に設けられている場合、洗浄水タンク装置１の排水口１４から排出される洗浄水を受け入れる便器本体２側の導水路５等の流路における圧損の大小によって、排水口１４から排出される洗浄水の量が変化し、排水弁５１の閉弁直後における小タンク６０外の水位がばらつくことになる。つまり、便器本体２側の圧損の大小による排水口１４からの洗浄水の排出量の変化に応じて開口部６２から小タンク６０内に流入する洗浄水の量が変化し、排水口１４からの洗浄水の排出量がばらつくことになる。そして、排水弁５１の閉弁直後における小タンク６０の外側の水位が開口部６２よりも上側に位置すると、排水弁５１の閉弁直後における小タンク６０外の水位によって、最終的な排水弁５１の閉弁後における最終的な水位ＤＷＬの位置が変化してしまう。この点、本実施形態のように開口部６２が小タンク６０における上側に位置することで、便器本体２側の流路における圧損抵抗の大小にかかわらず、排水弁５１の閉弁後における小タンク６０の外側の水位を開口部６２の開口の下端位置、つまり開口部６２による摺り切りの位置（水位ＤＷＬ）とすることができるので、便器本体２側の流路における圧損抵抗の大小の影響が小さくなり、大洗浄モードにおける洗浄水の排出量を安定させることができる。
【０１７６】
なお、小タンク６０において開口部６２の高さ位置を高くすると、洗浄水タンク１２内の水位が開口部６２の下端位置に早く達するため、小タンク６０の内外の圧力差が生じるまでの時間が早くなるが、上述したように排水弁装置４０が第２切替弁８０および第１切替弁７０において備える構成により、小タンク６０の内外の圧力差を低減させることができる。このため、本実施形態の排水弁装置４０によれば、小タンク６０において開口部６２が上側の部分に設けられた構成においても、小タンク６０の内外の圧力差に起因する切替弁の動作の不具合を防止することができ、第１切替弁７０および第２切替弁８０について安定した開閉動作を維持することができる。
【符号の説明】
【０１７７】
１      洗浄水タンク装置
２      便器本体（便器）
１２    洗浄水タンク
１２ａ  底面
１４    排水口
４０    排水弁装置
４１    弁体
４３    貯水筒（貯水部）
４５    制御筒
５１    排水弁
６０    小タンク（筒体）
６１    側面部
６２    開口部
７０    第１切替弁
７１ａ  連通口
７３    支持突片部
７４    係止突片部
７５    挿入突部
８０    第２切替弁
８３    挿入突部
８４    手前側面部
８４ａ  手前側面（第１の面）
８４ｂ  第２手前側面
８５    奥側面部
８５ａ  奥側面（第２の面）
８８    壁部
９２    錘
１００  水洗大便器
【図１】
2015190214.tif 000003
【図２】
2015190214.tif 000004
【図３】
2015190214.tif 000005
【図４】
2015190214.tif 000006
【図５】
2015190214.tif 000007
【図６】
2015190214.tif 000008
【図７】
2015190214.tif 000009
【図８】
2015190214.tif 000010
【図９】
2015190214.tif 000011
【図１０】
2015190214.tif 000012
【図１１】
2015190214.tif 000013
【図１２】
2015190214.tif 000014
【図１３】
2015190214.tif 000015
【図１４】
2015190214.tif 000016
【図１５】
2015190214.tif 000017
【図１６】
2015190214.tif 000018